(57)【要約】【課題】整流部における球詰まりを抑制して、遊技球をスムーズに取り込むことができる搬送装置を備えた遊技機を提供すること。【解決手段】駆動体１２１は、凹部１２１ｂ１が凸部１２１ｃ２に対応する位置に配置されると共に凹部１２１ｃ１が凸部１２１ｂ２に対応する位置に配置されているので、遊技球を凹部１２１ｂ１と凹部１２１ｃ１とにより交互に受け入れと共に、それら凹部１２１ｂ１と凹部１２１ｃ１とから交互に遊技球を第１従動体１２２の凹部１２２ｂ１へ１個ずつ受け渡すことができる。従って、駆動体１２１を駆動モータ１３０により回転駆動して、取込口１１０ａに２列（複列幅）で取り込まれた遊技球を強制的に一列に整列させる構成であるので、遊技球を整流しつつも球詰まりを抑制することができる。また、回収通路の通路幅を狭める必要がなく、遊技球を搬送装置１００にスムーズに取り込むことができる。【選択図】図９
2018086468.tif 000002
【特許請求の範囲】
【請求項１】
遊技球を供給する通路となる供給通路と、その供給通路から供給された遊技球を発射する発射装置と、その発射装置から発射された遊技球を回収する通路となる回収通路と、その回収通路から前記供給通路へ前記遊技球を搬送する搬送装置とを備えた遊技機において、
前記搬送装置は、
箱状の筐体と、
その筐体の内部に収容され回転可能に軸支される複数の回転体と、
それら複数の回転体の内の１の回転体に駆動力を付与して回転駆動する回転駆動手段とを備え、
前記筐体は、
前記回収通路から前記遊技球を複列幅で取り込む取込口と、
その取込口から取り込まれた遊技球を一列で搬送する搬送通路と、
その搬送通路を通じて搬送された遊技球を排出する排出口とを備え、
前記複数の回転体は、
前記搬送通路を通じて前記遊技球を搬送するためのものであり、前記取込口に臨んで配設されると共に前記回転駆動手段により駆動力が付与されることで回転する駆動体と、
その駆動体の周囲に配設されると共に前記遊技球を媒体として前記駆動体の回転力が伝達されることで回転する従動体とを備え、
前記駆動体は、
回転軸と直交する方向へ張り出すと共に前記回転軸方向に対向して配設される一対の羽根部を備え、
その一対の羽根部の外周面に前記取込口から前記遊技球を受け入れる凹部および前記遊技球を受け支える凸部が回転方向に沿って交互に形成されると共に、前記回転軸方向視において前記一対の羽根部の一方の羽根部の凹部が他方の羽根部の凸部に対応する位置に配置され、
前記従動体は、
回転軸と直交する方向へ張り出す一枚の羽根部を備え、
その一枚の羽根部の外周面に前記駆動体の凹部から前記遊技球を受け入れる凹部が回転方向に沿って複数形成されると共に、前記回転軸方向において前記一枚の羽根部が前記駆動体の前記一対の羽根部の対向間に介挿される位置に配設されるものであって、
前記駆動体が回転することで前記取込口から前記遊技球を前記一対の羽根部の一方の羽根部の凹部と他方の羽根部の凹部とにより交互に１個ずつ受け入れると共に、その受け入れられた遊技球を前記一方の羽根部の凹部と他方の羽根部の凹部とから交互に前記従動体の凹部へ１個ずつ受け渡すことにより、前記搬送通路を通じて前記遊技球を搬送することを特徴とする遊技機。
【請求項２】
前記駆動体は、前記回転軸方向視において前記一方の羽根部の凸部が前記対応する位置に配置される他方の羽根部の凹部を覆う形状に形成されていることを特徴とする請求項１記載の遊技機。
【請求項３】
前記駆動体は、前記回転軸方向視において前記一方の羽根部の凹部と他方の羽根部の凹部とが回転方向に沿って連続して配置されていることを特徴とする請求項１又は２に記載の遊技機。
【請求項４】
前記駆動体の凹部は、前記回転軸方向へ向けて湾曲する円弧状に形成されていることを特徴とする請求項１から３のいずれかに記載の遊技機。
【発明の詳細な説明】
【技術分野】
【０００１】
本発明は、パチンコ機などに代表される遊技機に関するものである。
【背景技術】
【０００２】
従来、パチンコ球などの遊技球を使用して遊技を行う遊技機の一例として、所定個数の遊技球を遊技機内に封入し、それら所定個数の遊技球を遊技機内で循環させて遊技に使用する封入式遊技機が知られている。
【０００３】
一般に、封入式遊技機は、遊技球を供給する通路となる供給通路と、その供給通路から供給された遊技球を発射する発射装置と、その発射装置から発射された遊技球を回収する通路となる回収通路と、その回収通路から供給通路へ遊技球を搬送する搬送装置とを備え、それら供給通路と発射装置と回収通路と搬送装置との間で遊技球を循環させるように構成されている（例えば、特許文献１）。
また、上記のように構成される封入式遊技機では、遊技に使用する遊技球数を管理する必要があり、遊技球を１個ずつ検出するためには、遊技球を整流して一列に整列させる整流部が必要となる。従って、回収通路では、遊技球を複列幅で回収し、整流部において遊技球の自然流下を利用して一列に整列させた後、搬送装置に取り込むように構成されている。
【先行技術文献】
【特許文献】
【０００４】
【特許文献１】特許第３８２８３１１号公報
【発明の概要】
【発明が解決しようとする課題】
【０００５】
しかしながら、遊技球を複列幅で回収し、整流部において遊技球の自然流下を利用して一列に整列させる構成では、かかる整流部に遊技球が集中して、球詰まりが生じ易いという問題点があった。
【０００６】
また、勢いよく流下する遊技球は、整流部において、球同士の衝突または狭まった通路壁との衝突を起こすため、遊技球の回収が遅れ、搬送装置への遊技球の取込不順を起こし易いという問題点があった。
【０００７】
本発明は、上述した問題点を解決するためになされたものであり、整流部における球詰まりを抑制して、遊技球をスムーズに取り込むことができる搬送装置を備えた遊技機を提供することを目的としている。
【課題を解決するための手段】
【０００８】
この目的を達成するために請求項１記載の遊技機は、遊技球を供給する通路となる供給通路と、その供給通路から供給された遊技球を発射する発射装置と、その発射装置から発射された遊技球を回収する通路となる回収通路と、その回収通路から前記供給通路へ前記遊技球を搬送する搬送装置とを備え、前記搬送装置は、箱状の筐体と、その筐体の内部に収容され回転可能に軸支される複数の回転体と、それら複数の回転体の内の１の回転体に駆動力を付与して回転駆動する回転駆動手段とを備え、前記筐体は、前記回収通路から前記遊技球を複列幅で取り込む取込口と、その取込口から取り込まれた遊技球を一列で搬送する搬送通路と、その搬送通路を通じて搬送された遊技球を排出する排出口とを備え、前記複数の回転体は、前記搬送通路を通じて前記遊技球を搬送するためのものであり、前記取込口に臨んで配設されると共に前記回転駆動手段により駆動力が付与されることで回転する駆動体と、その駆動体の周囲に配設されると共に前記遊技球を媒体として前記駆動体の回転力が伝達されることで回転する従動体とを備え、前記駆動体は、回転軸と直交する方向へ張り出すと共に前記回転軸方向に対向して配設される一対の羽根部を備え、その一対の羽根部の外周面に前記取込口から前記遊技球を受け入れる凹部および前記遊技球を受け支える凸部が回転方向に沿って交互に形成されると共に、前記回転軸方向視において前記一対の羽根部の一方の羽根部の凹部が他方の羽根部の凸部に対応する位置に配置され、前記従動体は、回転軸と直交する方向へ張り出す一枚の羽根部を備え、その一枚の羽根部の外周面に前記駆動体の凹部から前記遊技球を受け入れる凹部が回転方向に沿って複数形成されると共に、前記回転軸方向において前記一枚の羽根部が前記駆動体の前記一対の羽根部の対向間に介挿される位置に配設されるものであって、前記駆動体が回転することで前記取込口から前記遊技球を前記一対の羽根部の一方の羽根部の凹部と他方の羽根部の凹部とにより交互に１個ずつ受け入れると共に、その受け入れられた遊技球を前記一方の羽根部の凹部と他方の羽根部の凹部とから交互に前記従動体の凹部へ１個ずつ受け渡すことにより、前記搬送通路を通じて前記遊技球を搬送する。
【０００９】
請求項２記載の遊技機は、請求項１記載の遊技機において、前記駆動体は、前記回転軸方向視において前記一方の羽根部の凸部が前記対応する位置に配置される他方の羽根部の凹部を覆う形状に形成されている。
【００１０】
請求項３記載の遊技機は、請求項１又は２に記載の遊技機において、前記駆動体は、前記回転軸方向視において前記一方の羽根部の凹部と他方の羽根部の凹部とが回転方向に沿って連続して配置されている。
【００１１】
請求項４記載の遊技機は、請求項１から３のいずれかに記載の遊技機において、前記駆動体の凹部は、前記回転軸方向へ向けて湾曲する円弧状に形成されている。
【発明の効果】
【００１２】
請求項１記載の遊技機によれば、駆動体を回転駆動手段により回転駆動して強制的に遊技球を一列に整列させる構成であるので、遊技球を複列幅で回収し、整流部において遊技球の自然流下を利用して一列に整列させる場合と比較して、遊技球を整流しつつも球詰まりを抑制することができるという効果がある。
【００１３】
また、駆動体の一方の羽根部の凹部が取込口に臨む場合に、その凹部に対応する位置に配置される他方の羽根部の凸部が取込口に臨む構成であるので、回収通路の通路幅を狭める必要がなく、遊技球を搬送装置にスムーズに取り込むことができるという効果がある。
【００１４】
請求項２記載の遊技機によれば、請求項１記載の遊技機の奏する効果に加え、駆動体は、回転軸方向視において一方の羽根部の凸部がその凸部に対応する位置に配置される他方の羽根部の凹部を覆う形状に形成されているので、一方の羽根部の凹部に遊技球を受け入れる際に、その一方の羽根部の凹部へ遊技球を他方の羽根部の凸部により誘導することができ、駆動体の凹部に遊技球を円滑に受け入れることができるという効果がある。その結果、遊技球の整流を効率良く行うことができると共に、その分、球詰まりの抑制を図ることができるという効果がある。
【００１５】
請求項３記載の遊技機によれば、請求項１又は２に記載の遊技機の奏する効果に加え、駆動体は、回転軸方向視において一方の羽根部の凹部と他方の羽根部の凹部とが回転方向に沿って連続して配置されているので、駆動体の回転位置がどの位置であろうと、一方の羽根部の凹部または他方の羽根部の凹部のいずれかに遊技球を受け入れることができるという効果がある。その結果、遊技球を凹部に効率良く受け入れて、球詰まりの抑制を図ることができるという効果がある。
請求項４記載の遊技機によれば、請求項１から３のいずれかに記載の遊技機の奏する効果に加え、駆動体の凹部は、回転軸方向へ向けて湾曲する円弧状に形成されているので、かかる凹部に受け入れた遊技球の勢いを放射状に分散して減じることができ、凹部による球はじきを防止することができるという効果がある。その結果、駆動体の凹部に遊技球を円滑に受け入れて、球詰まりの抑制を図ることができるという効果がある。
【図面の簡単な説明】
【００１６】
【図１】パチンコ機および球貸ユニットの正面図である。
【図２】パチンコ機の背面図である。
【図３】前面枠を取り外した状態を示すパチンコ機の正面図である。
【図４】前面枠の分解斜視図である。
【図５】搬送装置１００の分解斜視図である。
【図６】（ａ）は、駆動体の斜視図であり、（ｂ）は、回転軸方向視における駆動体の正面図である。
【図７】（ａ）は、第１従動体の斜視図であり、（ｂ）は、回転軸方向視における第１従動体の正面図である。
【図８】（ａ）は、第２従動体の斜視図であり、（ｂ）は、回転軸方向視における第２従動体の正面図である。
【図９】図５の矢印Ａ方向視における搬送装置の内部構造を示す構造図である。
【図１０】図５の矢印Ａ方向視における搬送装置の内部構造を示す構造図である。
【図１１】図５の矢印Ａ方向視における搬送装置の内部構造を示す構造図である。
【図１２】図５の矢印Ａ方向視における搬送装置の内部構造を示す構造図である。
【図１３】図５の矢印Ａ方向視における搬送装置の内部構造を示す構造図である。
【図１４】図５の矢印Ａ方向視における搬送装置の内部構造を示す構造図である。
【図１５】図５の矢印Ａ方向視における搬送装置の内部構造を示す構造図である。
【図１６】図５の矢印Ａ方向視における搬送装置の内部構造を示す構造図である。
【図１７】図５の矢印Ａ方向視における搬送装置の内部構造を示す構造図である。
【図１８】図５の矢印Ａ方向視における搬送装置の内部構造を示す構造図である。
【図１９】図５の矢印Ａ方向視における搬送装置の内部構造を示す構造図である。
【図２０】図５の矢印Ａ方向視における搬送装置の内部構造を示す構造図である。
【発明を実施するための形態】
【００１７】
以下、本発明の好ましい実施の形態について、添付図面を参照して説明する。まず、図１を参照して、本発明におけるパチンコ遊技機（以下、単に「パチンコ機」と称す。）１０の外観構成および球貸ユニット７０について説明する。なお、本実施の形態において、パチンコ機１０は、球貸ユニット７０に接続されて使用されるものであり、球貸ユニット７０に投入された紙幣やカードの残額に応じて遊技を行うことができるように構成されている。また、パチンコ機１０は、遊技者への遊技球の直接的な貸し出しや払い出しを行うものではなく、貸出球や賞球を数値化して（得点として）遊技者に付与することで、パチンコ機１０内に封入された所定個数（本実施の形態では４０個）の遊技球（パチンコ球）をパチンコ機１０内で循環させて遊技に使用する、いわゆる封入式のパチンコ遊技機として構成されている。
【００１８】
図１は、パチンコ機１０及び球貸ユニット７０の正面図である。図１に示すように、パチンコ機１０は、外郭を形成する外枠１１と、その外枠１１に開閉可能に支持される内枠１２とを備えている。外枠１１には、正面視左側（図１左側）の上下２か所にヒンジ１７が配設され、このヒンジ１７を介して内枠１２が開閉可能に支持されている。内枠１２には、楕円形状の開口部１２ａ（図３参照）が開口形成され、この開口部１２ａには、裏面側から遊技盤１３が着脱可能に取り付けられている。
【００１９】
遊技盤１３の前面には、発射装置５０（図３参照）から発射された遊技球を遊技盤１３の上部に案内するためのレール２１，２２（図３参照）が配設されている。パチンコ機１０では、レール２１，２２により遊技盤１３の前面上部に案内された遊技球が遊技盤１３の前面（遊技領域）を落下することにより遊技が行われる。
【００２０】
遊技盤１３には、遊技球が入球し得る一般入賞口２３、第１入球口２４及び特定入賞口（大開放口）２５が配設されている。これら一般入賞口２３、第１入球口２４及び特定入賞口２５に遊技球が入球すると、賞球としての得点が遊技者に付与される。また、遊技盤１３には、一般入賞口２３、第１入球口２４及び特定入賞口２５のいずれにも入球しなかった遊技球（以下、「アウト球」と称す。）が入球するアウト口２６が配設されている。
【００２１】
その他、遊技盤１３の前面には、遊技球の落下方向を分散および調整するための多数の釘２７、風車などの各種部材２８及び第１入球口２４への入球をトリガとして図柄を変動表示する可変表示装置ユニット２９等が配設されている。
【００２２】
内枠１２には、正面視左側（図１左側）の上下２か所にヒンジ１８が配設され、このヒンジ１８を介して前面枠１４が開閉可能に支持されている。前面枠１４には、楕円形状の開口部１４ａが開口形成されている。この開口部１４ａには、裏面側から板ガラス（図示せず）が取り付けられ、この板ガラスを介して遊技盤１３の前面が視認可能となっている。
【００２３】
また、前面枠１４には、その周囲にランプ３１〜３６が配設されている。遊技に際しては、これらランプ３１〜３６により、その都度、遊技状況に応じたランプ演出が行われる。即ち、ランプ３１〜３６による発光色や発光パターンを適宜変更することで、役の成立やエラーなどが遊技者に告知される。
【００２４】
開口部１４ａの下方（図１下側）には、遊技者の持球を得点として表示するための得点表示部３７が配設されている。この得点表示部３７では、貸出球や賞球の総数が遊技者の持球として得点表示される。
【００２５】
また、開口部１４ａの下方（図１下側）には、上皿１６及び搬送装置１００（いずれも図４参照）を内部に配設するための張出部３８が前方（図１紙面表側）に張り出して形成されている。なお、本実施の形態において、パチンコ機１０は、一般的なパチンコ遊技機とは異なり、遊技球を貯留するための下皿が省略されている。
【００２６】
張出部３８の正面視右側（図１右側）には、遊技球を遊技領域へ打ち込むための操作ハンドル３９が配設されている。遊技者により操作ハンドル３９が回動操作されると、操作ハンドル３９の回動操作量に応じた強さで遊技球が発射される。
【００２７】
パチンコ機１０の正面視左側（図１左側）には、球貸ユニット７０が配置されている。この球貸ユニット７０には、紙幣を投入するための紙幣投入口７１及びカードを挿入するためのカード挿入口７２が配設されている。遊技者により紙幣投入口７１に紙幣が投入される、或いはカード挿入口７２にカードが挿入されると、紙幣やカードの残額に応じて、遊技者への貸出球の貸出が可能な状態となる。
【００２８】
紙幣投入口７１の下方（図１下側）には、紙幣投入口７１に投入された紙幣やカード挿入口７２に挿入されたカードの残額を表示するための残額表示部７３が配設されると共に、その残額表示部７３の下方（図１下側）には、貸出球を得るための貸出ボタン７４が配設されている。遊技者により貸出ボタン７４が操作されると、紙幣またはカードに残額が存在する限りにおいて、得点表示部３７に表示された得点が貸出ボタン７４の操作回数に応じて加算される。
【００２９】
貸出ボタン７４の下方（図１下側）には、カード投入孔７２に挿入されたカードの返却を求めるための返却ボタン７５が配設されている。その他、球貸ユニット７０には、貸出球や賞球の球単価を設定するための球単価設定ボタン７６（例えば、球単価を２円、３円または４円の内から選択して設定するボタン）やカード挿入口７２に挿入されたカードの暗証番号を入力するための入力ボタン７７等が配設されている。
【００３０】
次いで、図２から図４を参照して、パチンコ機１０の内部構成について説明する。図２は、パチンコ機１０の背面図であり、図３は、前面枠１４を取り外した状態を示すパチンコ機１０の正面図である。また、図４は、前面枠１４の分解斜視図である。なお、図３では、図面の理解を容易とするために、遊技盤１３の構成を一部省略して図示している。
【００３１】
図２に示すように、遊技盤１３の裏面には、一般入賞口２３、第１入球口２４及び特定入賞口２５（図１参照）に入球した遊技球（以下、「入賞球」と称す。）を遊技盤１３の裏面側で回収するため入賞球回収盤４１が取り付けられている。この入賞球回収盤４１には、一般入賞口２３、第１入球口２４及び特定入賞口２５にそれぞれ連通されると共に下方（図２下側）が開放される回収通路４１ａが形成されている。
【００３２】
また、入賞球回収盤４１の下方（図２下側）には、入賞球回収盤４１により回収された入賞球を内枠１２の前面へ案内するための案内盤４２が取り付けられている。この案内盤４２には、上方（図２上側）が開放されると共に内枠１２の前面に取り付けられたファール球回収盤４３の回収通路４３ａ（図３参照）に連通される案内通路４２ａが形成されている。
【００３３】
従って、入賞球は、図２の仮想線で示すように、まず、入賞球回収盤４１の回収通路４１ａを通じて回収され、その後、案内盤４２の案内通路４２ａを通じて内枠１２の前面へ案内される。また、案内盤４２の案内通路４２ａは、アウト口２６（図１参照）にも連通されており、アウト球も同様に、案内盤４２の案内通路４２ａを通じて内枠１２の前面へ案内される。
【００３４】
また、遊技盤１３の裏面には、一般入賞口２３への遊技球の入球を検出する入賞口検出スイッチ４４、第１入球口２４への遊技球の入球を検出する第１入球口検出スイッチ４５、特定入賞口２５への遊技球の入球数をカウントするカウントスイッチ４６が配設されている。これら各スイッチ４４〜４６により遊技球の入球が検出されると、検出結果に基づいて賞球数が決定されると共に、その決定された賞球数に応じて得点表示部３７に表示された得点が加算される。
【００３５】
図３に示すように、内枠１２の前面には、遊技球を遊技領域へ発射するための発射装置５０が配設されている。この発射装置５０は、遊技球に発射力を付与する発射ソレノイド５１と、その発射ソレノイド５１から遊技盤１３のレール２１，２２へ遊技球を案内する発射レール５２と、上皿１６（図４参照）から案内された遊技球を１個ずつ発射レール５２に供給する供給装置５３とを備えている。なお、発射ソレノイド５１により遊技球に付与される発射力は、遊技者による操作ハンドル３９（図１参照）の回動操作量に応じて決定される。発射装置５０により遊技球が発射されると、発射された遊技球が検出スイッチ（図示せず）により検出され、その都度、得点表示部３７に表示された得点が１点ずつ減算される。
【００３６】
また、遊技盤１３のレール２１，２２と発射装置５０の発射レール５２との間には隙間が形成されており、その隙間の下方（図３下側）には、発射装置５０により発射されたものの、発射力が弱く遊技領域まで到達せずに発射装置５０側に戻ってきた遊技球（以下、「ファール球」と称す。）を回収すると共に、回収したファール球を前面枠１４へ案内するためのファール球回収盤４３が取り付けられている。このファール球回収盤４３には、上方（図３上側）が開放されると共に前方（図３紙面表側）が開放された開放口４３ｂを有する回収通路４３ａが形成されている。
【００３７】
従って、ファール球は、ファール球回収盤４３の回収通路４３ａを通じて開放口４３ｂから前面枠１４へ案内される。また、上述したように、案内盤４２の案内通路４２ａは、ファール球回収盤４３の回収通路４３ａに連通されているので、案内盤４２の案内通路４２ａを通じて内枠１２の前面へ案内された入賞球およびアウト球も同様に、ファール球回収盤４３の回収通路４３ａ通じて開放口４３ｂから前面枠１４へ案内される。
【００３８】
図４に示すように、前面枠１４の裏面には下部ユニット１５が取り付けられている。この下部ユニット１５の前面には、上皿１６及び搬送装置１００が配設されている。下部ユニット１５が前面枠１４に取り付けられた状態では、上述したように、前面枠１４に形成された張出部３８の内部に上皿１６及び搬送装置１００が配置される。
【００３９】
下部ユニット１５には、前面枠１４を内枠１２に対して閉鎖した状態においてファール球回収盤４３の開放口４３ｂ（図３参照）に連通される連通口１５ａが開口形成されている。従って、ファール球回収盤４３の回収通路４３ａを通じて開放口４３ｂから前面枠１４へ案内された遊技球（入賞球、アウト球およびファール球）は、連通口１５ａから前面枠１４の内部へ案内される。
【００４０】
本実施の形態において、上皿１６は、一般的なパチンコ機の上皿とは異なり、遊技球を貯留するためのものではなく、単に、遊技球を発射装置５０（図３参照）へ案内するためのものである。この上皿１６には、遊技球の通路となる供給通路１６ａが遊技球の直径と同等の幅で形成されている。よって、遊技球を供給通路１６ａにおいて一列に整列させることができるので、遊技球を整流するための整流部を設ける必要がなく、かかる整流部において生じ易い球詰まりの抑制を図ることができる。
【００４１】
また、上皿１６の底面には、搬送装置１００が挿通される挿通口１６ｂが開口形成されている。上皿１６及び搬送装置１００が下部ユニット１５に配設された状態では、上皿１６の挿通口１６ｂに搬送装置１００が挿通されると共に、後述する搬送装置１００の排出口１１０ｂが上皿１６の底面よりも上方へ突出した状態に配置される。また、上皿１６の上面には、遊技球が遊技者に触れられることを防止するためのカバー１９が配設されている。
【００４２】
搬送装置１００は、下部ユニット１５の連通口１５ａから前面枠１４の内部へ案内された遊技球（入賞球、アウト球およびファール球）を上皿１６へ搬送（揚送）するためのものであり、この搬送装置１００により搬送された遊技球は、上皿１６を介して発射装置５０へ案内される。これにより、パチンコ機１０内に封入された遊技球をパチンコ機１０内で循環させて遊技に使用することが可能となる。
【００４３】
搬送装置１００の下部には、取込口１１０ａが開口形成されている。取込口１１０ａは、搬送装置１００への遊技球の入口をなすものであり、下部ユニット１５の連通口１５ａから前面枠１４の内部へ案内された遊技球（入賞球、アウト球およびファール球）は、まず、取込口１１０ａへ案内され、その後、取込口１１０ａから搬送装置１００の内部に取り込まれる。取込口１１０ａの間口は、遊技球の２球分に相当し、遊技球を２列（複列幅）で取り込むことができるように構成されている。
【００４４】
一方、搬送装置１００の上部には、排出口１１０ｂが開口形成されている。排出口１１０ｂは、搬送装置１００からの遊技球の出口をなすものであり、搬送装置１００に取り込まれた遊技球（入賞球、アウト球およびファール球）は、排出口１１０ｂから上皿１６へ排出される。
【００４５】
次いで、図５を参照して、本発明の主要部である搬送装置１００の詳細構成について説明する。図５は、搬送装置１００の分解斜視図である。なお、図５の矢印Ｕ−Ｄ，Ｌ−Ｒ，Ｆ−Ｂは、搬送装置１００の上下方向、左右方向、前後方向をそれぞれ示している。
【００４６】
図５に示すように、搬送装置１００は、筐体１１０と、その筐体１１０の内部に収容される回転体１２０と、筐体１１０の側面（矢印Ｌ方向側の面）に取着盤１１５を介して配設される駆動モータ１３０とを備えている。
【００４７】
筐体１１０は、搬送装置１００の外殻を形成するものであり、合成樹脂成型品からなる表裏一体のハウジング部材１１１ａ，１１１ｂと、それらハウジング部材１１１ａ，１１１ｂの前方（矢印Ｆ方向）に挟持される通路形成部材１１２とを備え、両ハウジング部材１１１ａ，１１１ｂがネジ等（図示せず）により結合されることで、箱状に構成されている。この筐体１１０の内部には、遊技球を搬送する通路となる搬送通路Ｗが形成されている。なお、搬送通路Ｗの形状については、図１０を参照して後述する。
【００４８】
回転体１２０は、搬送通路Ｗを通じて遊技球を１個ずつ搬送するためのものであり、上述した取込口１１０ａに臨んで配設される駆動体１２１と、その駆動体１２１の上方（矢印Ｕ方向）に配設される第１従動体１２２と、その第１従動体１２２の上方に配設される第２従動体１２３と、その第２従動体１２３の上方に配設される第３従動体１２４と、その第３従動体１２４の上方に配設される第４従動体１２５との合計５つの部材を備えて構成されている。これら各部材１２１〜１２５は、それぞれ筐体１１０（ハウジング部材１１１ａ，１１１ｂ）に回転可能に軸支され、それぞれの回転軸が平行となるように配置されている。なお、各部材１２１〜１２５の形状については、図６から図８を参照して後述すると共に、各部材１２１〜１２５の配置については、図９を参照して後述する。
【００４９】
駆動モータ１３０は、駆動体１２１に駆動力を付与して回転駆動するものである。この駆動モータ１３０の駆動力は、回転子１３０ａに出力され、その結果、回転子１３０ａに取着された駆動体１２１が回転する。なお、駆動モータ１３０は、パチンコ機１０の電源が投入されている間、駆動体１２１に駆動力を常に付与することで、常時、駆動体１２１が回転するように構成されている。
【００５０】
次いで、図６を参照して、駆動体１２１の形状について説明する。図６（ａ）は、駆動体１２１の斜視図であり、図６（ｂ）は、回転軸Ｃ０方向視における駆動体１２１の正面図である。なお、図６（ｂ）中の矢印Ｒ０は、駆動体１２１の回転方向を示している。
【００５１】
図６に示すように、駆動体１２１は、軸心を有する円柱軸状の軸部１２１ａと、その軸部１２１ａの径方向（軸部１２１ａの軸心と直交する方向）へ向けて張り出して形成される一対の羽根部１２１ｂ，１２１ｃとを備えている。この駆動体１２１は、軸部１２１ａが筐体１１０（ハウジング部材１１１ａ，１１１ｂ）に回転可能に軸支され（図５参照）、軸部１２１ａの軸心を回転軸Ｃ０として回転する。
【００５２】
図６（ｂ）に示すように、軸部１２１ａには、円形の一部を平面で切り欠いた断面形状の軸孔１２１ａ１が軸心に沿って穿設されている。一方、駆動モータ１３０の回転子１３０ａ（図５参照）は、軸部１２１ａの軸孔１２１ａ１の断面形状に対応した外形形状に形成されており、軸部１２１ａの軸孔１２１ａ１と駆動モータ１３０の回転子１３０ａとが係合することで、駆動モータ１３０の駆動力が駆動体１２１に付与される。
【００５３】
一対の羽根部１２１ｂ，１２１ｃは、軸部１２１ａの軸心方向に対向して配置されている。これら一対の羽根部１２１ｂ，１２１ｃは、同一の外周面形状に形成され、その外周面には、それぞれ遊技球を１個ずつ受け入れる３つの凹部１２１ｂ１，１２１ｃ１が凹設されると共に、外周面で遊技球を受け支える３つの凸部１２１ｂ２，１２１ｃ２が設けられている。これら凹部１２１ｂ１，１２１ｃ１及び凸部１２１ｂ２，１２１ｃ２は、矢印Ｒ０方向に沿って交互に設けられ、それぞれ１２０度の中心角を隔てて等間隔に配置されている。遊技球の搬送は、遊技球を凹部１２１ｂ１，１２１ｃ１に受け入れつつ駆動体１２１が回転することで行われる。
【００５４】
また、一対の羽根部１２１ｂ，１２１ｃは、回転軸Ｃ０方向視において羽根部１２１ｂの凹部１２１ｂ１が羽根部１２１ｃの凸部１２１ｃ２に対応する位置に配置されると共に、羽根部１２１ｃの凹部１２１ｃ１が羽根部１２１ｂの凸部１２１ｂ２に対応する位置に配置されている。即ち、一対の羽根部１２１ｂ，１２１ｃが互いに矢印Ｒ０方向へ６０度ずれた状態に配置されている。
【００５５】
更に、一対の羽根部１２１ｂ，１２１ｃは、回転軸Ｃ０方向視において羽根部１２１ｂの凸部１２１ｂ２がその凸部１２１ｂ２に対応する位置に配置される（回転軸Ｃ０方向に対向する）羽根部１２１ｃの凹部１２１ｃ１を覆うと共に羽根部１２１ｃの凸部１２１ｃ２がその凸部１２１ｃ２に対応する位置に配置される（回転軸Ｃ０方向に対向する）羽根部１２１ｂの凹部１２１ｂ１を覆う形状に形成され、羽根部１２１ｂの凹部１２１ｂ１と羽根部１２１ｃの凹部１２１ｃ１とが矢印Ｒ０方向に沿って連続して配置されている。
【００５６】
図６（ｂ）に示すように、凹部１２１ｂ１，１２１ｃ１は、所定サイズ（例えば直径１１ｍｍ）の遊技球（図６（ｂ）の二点差線）を受け入れられるように、回転軸Ｃ０方向視において軸部１２１ａの軸心方向へ向けて凹となる円弧状に形成されると共に、その深さが遊技球の半径よりも深く、且つその開口側（羽根部１２１ｂ，１２１ｃの外周側）の幅が底側（軸部１２１ａの軸心側）の幅よりも幅広に形成されている。
【００５７】
次いで、図７を参照して、第１従動体１２２の形状について説明する。なお、第１従動体１２２と第３従動体１２４とは同一形状であるので、ここでは、第１従動体１２２を例に説明し、第３従動体１２４については、その説明を省略する。図７（ａ）は、第１従動体１２２の斜視図であり、図７（ｂ）は、回転軸Ｃ１方向視における第１従動体１２２の正面図である。なお、図７（ｂ）中の矢印Ｒ１は、第１従動体１２２の回転方向を示している。
【００５８】
図７に示すように、第１従動体１２２は、軸心を有する円柱軸状の軸部１２２ａと、その軸部１２２ａの径方向（軸部１２２ａの軸心と直交する方向）へ向けて張り出して形成される羽根部１２２ｂとを備えている。この第１従動体１２２は、軸部１２２ａが筐体１１０（ハウジング部材１１１ａ，１１１ｂ）に回転可能に軸支され（図５参照）、軸部１２２ａの軸心を回転軸Ｃ１として回転する。
【００５９】
羽根部１２２ｂの外周面には、遊技球を１個ずつ受け入れる６つの凹部１２２ｂ１が凹設されている。この凹部１２２ｂ１は、矢印Ｒ１方向に沿って一列で形成され、それぞれ６０度の中心角を隔てて等間隔に配置されている。ここで、本実施の形態では、各凹部１２２ｂ１の中心が直線上に位置するように凹部１２２ｂ１が一列で形成されるが、各凹部１２２ｂ１の中心が直線上に位置する場合に限られるものではない。遊技球の搬送は、遊技球を凹部１２２ｂ１に受け入れつつ第１従動体１２２が回転することで行われる。
【００６０】
図７（ｂ）に示すように、凹部１２２ｂ１は、所定サイズ（例えば直径１１ｍｍ）の遊技球（図７（ｂ）の二点差線）を受け入れられるように、回転軸Ｃ１方向視において軸部１２２ａの軸心方向へ向けて凹となる円弧状に形成されると共に、その深さが遊技球の半径よりも深く、且つその開口側（羽根部１２２ｂの外周側）の幅が底側（軸部１２２ａの軸心側）の幅よりも幅広に形成されている。
【００６１】
次いで、図８を参照して、第２従動体１２３の形状について説明する。なお、第２従動体１２３と第４従動体１２５とは同一形状であるので、ここでは、第２従動体１２３を例に説明し、第４従動体１２５については、その説明を省略する。図８（ａ）は、第２従動体１２３の斜視図であり、図８（ｂ）は、回転軸Ｃ２方向視における第２従動体１２３の正面図である。なお、図８（ｂ）中の矢印Ｒ２は、第２従動体１２３の回転方向を示している。
【００６２】
図８に示すように、第２従動体１２３は、軸心を有する円柱軸状の軸部１２３ａと、その軸部１２３ａの径方向（軸部１２３ａの軸心と直交する方向）へ向けて張り出して形成される一対の羽根部１２３ｂ，１２３ｃとを備えている。この第２従動体１２３は、軸部１２３ａが筐体１１０（ハウジング部材１１１ａ，１１１ｂ）に回転可能に軸支され（図５参照）、軸部１２３ａの軸心を回転軸Ｃ２として回転する。
【００６３】
一対の羽根部１２３ｂ，１２３ｃは、軸部１２３ａの軸心方向に対向して配置されている。これら一対の羽根部１２３ｂ，１２３ｃは、同一の外周面形状に形成され、その外周面には、それぞれ遊技球を１個ずつ受け入れる６つの凹部１２３ｂ１，１２３ｃ１が凹設されている。これら凹部１２３ｂ１，１２３ｃ１は、矢印Ｒ２方向に沿って一列で形成され、それぞれ６０度の中心角を隔てて等間隔に配置されている。ここで、本実施の形態では、各凹部１２３ｂ１，１２３ｃ１の中心が直線上に位置するように凹部１２３ｂ１，１２３ｃ１が一列で形成されるが、各凹部１２３ｂ１，１２３ｃ１の中心が直線上に位置する場合に限られるものではない。遊技球の搬送は、遊技球を凹部１２３ｂ１，１２３ｃ１に受け入れつつ第２従動体１２３が回転することで行われる。
【００６４】
また、一対の羽根部１２３ｂ，１２３ｃは、回転軸Ｃ２方向視において羽根部１２３ｂの凹部１２３ｂ１と羽根部１２３ｃの凹部１２３ｃ１との位置が一致するように配置されている。
【００６５】
図８（ｂ）に示すように、凹部１２３ｂ１，１２３ｃ１は、所定サイズ（例えば直径１１ｍｍ）の遊技球（図８（ｂ）の二点差線）を受け入れられるように、回転軸Ｃ２方向視において軸部１２３ａの軸心方向へ向けて凹となる円弧状に形成されると共に、その深さが遊技球の半径よりも深く、且つその開口側（羽根部１２３ｂ，１２３ｃの外周側）の幅が底側（軸部１２３ａの軸心側）の幅よりも幅広に形成されている。
【００６６】
次いで、図９を参照して、回転体１２０の各部材１２１〜１２５の配置について説明する。図９は、図５の矢印Ａ方向視における搬送装置１００の内部構造を示す構造図である。なお、図９の矢印Ｕ−Ｄ，Ｌ−Ｒ，Ｆ−Ｂは、搬送装置１００の上下方向、左右方向、前後方向をそれぞれ示している。
【００６７】
図９に示すように、駆動体１２１と第１従動体１２２とは、第１従動体１２２の羽根部１２２ｂが駆動体１２１の一対の羽根部１２１ｂ，１２１ｃの対向間に介挿され、駆動体１２１の凹部１２１ｂ１，１２１ｃ１の回転軌跡と第１従動体１２２の凹部１２２ｂ１の回転軌跡とが重なり合うような相対位置で配置されると共に、駆動体１２１の凹部１２１ｂ１，１２１ｃ１と第１従動体１２２の凹部１２２ｂ１とが対向した状態で、それら駆動体１２１の凹部１２１ｂ１，１２１ｃ１と第１従動体１２２の凹部１２２ｂ１との間に遊技球を受け入れる隙間が形成されるような相対位置で配置されている。
【００６８】
また、第１従動体１２２と第２従動体１２３とは、第１従動体１２２の羽根部１２２ｂが第２従動体１２３の一対の羽根部１２３ｂ，１２３ｃの対向間に介挿され、第１従動体１２２の凹部１２２ｂ１の回転軌跡と第２従動体１２３の凹部１２３ｂ１，１２３ｃ１の回転軌跡とが重なり合うような相対位置で配置されると共に、第１従動体１２２の凹部１２２ｂ１と第２従動体１２３の凹部１２３ｂ１，１２３ｃ１とが対向した状態で、それら第１従動体１２２の凹部１２２ｂ１と第２従動体１２３の凹部１２３ｂ１，１２３ｃ１との間に遊技球を受け入れる隙間が形成されるような相対位置で配置されている。
【００６９】
同様に、第２従動体１２３と第３従動体１２４とは、第３従動体１２４の羽根部１２４ｂが第２従動体１２３の一対の羽根部１２３ｂ，１２３ｃの対向間に介挿され、第２従動体１２３の凹部１２３ｂ１，１２３ｃ１の回転軌跡と第３従動体１２４の凹部１２４ｂ１の回転軌跡とが重なり合うような相対位置で配置されると共に、第２従動体１２３の凹部１２３ｂ１，１２３ｃ１と第３従動体１２４の凹部１２４ｂ１とが対向した状態で、それら第２従動体１２３の凹部１２３ｂ１，１２３ｃ１と第３従動体１２４の凹部１２４ｂ１との間に遊技球を受け入れる隙間が形成されるような相対位置で配置されている。
【００７０】
同様に、第３従動体１２４と第４従動体１２５とは、第３従動体１２４の羽根部１２４ｂが第４従動体１２５の一対の羽根部１２５ｂ，１２５ｃの対向間に介挿され、第３従動体１２４の凹部１２４ｂ１の回転軌跡と第４従動体１２５の凹部１２５ｂ１，１２５ｃ１の回転軌跡とが重なり合うような相対位置で配置されると共に、第３従動体１２４の凹部１２４ｂ１と第４従動体１２５の凹部１２５ｂ１，１２５ｃ１とが対向した状態で、それら第３従動体１２４の凹部１２４ｂ１と第４従動体１２５の凹部１２５ｂ１，１２５ｃ１との間に遊技球を受け入れる隙間が形成されるような相対位置で配置されている。
【００７１】
また、図９に示すように、第１〜第４従動体１２２〜１２５は、鉛直線上に直列に配置される一方、駆動体１２１は、第１〜第４従動体１２２〜１２５に対して後方（矢印Ｂ方向）へずれて配置されている。
【００７２】
次いで、図１０を参照して、筐体１１０の内部に形成される搬送通路Ｗの形状について説明する。図１０は、図５の矢印Ａ方向視における搬送装置１００の内部構造を示す構造図である。なお、図１０では、図面の理解を容易とするために、回転体１２０の各部材１２１〜１２５を透視して示している。また、図１０の矢印Ｕ−Ｄ，Ｌ−Ｒ，Ｆ−Ｂは、搬送装置１００の上下方向、左右方向、前後方向をそれぞれ示している。
【００７３】
図１０に示すように、搬送通路Ｗは、通路形成部材１１２に形成された第１案内壁１３１及び第３案内壁１３３と、ハウジング部材１１１ａ，１１１ｂにそれぞれ形成された第２案内壁１３２及び第４案内壁１３４との合計４つの案内壁により構成されている。
【００７４】
第１案内壁１３１は、第１従動体１２２の外周面に対向して配設され、第１従動体１２２の回転軸Ｃ１に平行であって回転軸Ｃ１を中心とする円弧状の面を形成している。また、その下端が駆動体１２１の一対の羽根部１２１ｂ，１２１ｃの対向間に介挿され、駆動体１２１の凹部１２１ｂ１，１２１ｃ１の回転軌跡に交差すると共に凹部１２１ｂ１，１２１ｃ１の最底部における回転軌跡に達するまで延設されている。一方、上端が第２従動体１２３の一対の羽根部１２３ｂ，１２３ｃの対向間に介挿され、第２従動体１２３の凹部１２３ｂ１，１２３ｃ１の回転軌跡に交差すると共に凹部１２３ｂ１，１２３ｃ１の最底部における回転軌跡に達するまで延設されている。
【００７５】
第２案内壁１３２は、第２従動体１２３の外周面に対向して配設され、第２従動体１２３の回転軸Ｃ２に平行であって回転軸Ｃ２を中心とする円弧状の面を形成している。また、その下端が第１従動体１２２の凹部１２２ｂ１の回転軌跡に交差すると共に凹部１２２ｂ１の最低部における回転軌跡に達するまで延設されている。一方、上端が第３従動体１２４の凹部１２４ｂ１の回転軌跡に交差すると共に凹部１２４ｂ１の最低部における回転軌跡に達するまで延設されている。この第２案内壁１３２は、上述したように、ハウジング部材１１１ａ，１１１ｂにそれぞれ形成されているので、第１従動体１２２を挟んで一対が配設されると共に、第３従動体１２４を挟んで一対が配設されている。
【００７６】
同様に、第３案内壁１３３は、第３従動体１２４の外周面に対向して配設され、第３従動体１２４の回転軸Ｃ３に平行であって回転軸Ｃ３を中心とする円弧状の面を形成している。また、その下端が第２従動体１２３の一対の羽根部１２３ｂ，１２３ｃの対向間に介挿され、第２従動体１２３の凹部１２３ｂ１，１２３ｃ１の回転軌跡に交差すると共に凹部１２３ｂ１，１２３ｃ１の最底部における回転軌跡に達するまで延設されている。一方、上端が第４従動体１２５の一対の羽根部１２５ｂ，１２５ｃの対向間に介挿され、第４従動体１２５の凹部１２５ｂ１，１２５ｃ１の回転軌跡に交差すると共に凹部１２５ｂ１，１２５ｃ１の最底部における回転軌跡に達するまで延設されている。
【００７７】
同様に、第４案内壁１３４は、第４従動体１２５の外周面に対向して配設され、第４従動体１２５の回転軸Ｃ４に平行であって回転軸Ｃ４を中心とする円弧状の面を形成している。また、その下端が第３従動体１２４の凹部１２４ｂ１の回転軌跡に交差すると共に凹部１２４ｂ１の最低部における回転軌跡に達するまで延設されている。一方、上端が排出口１１０ｂに連設されている。この第４案内壁１３４は、上述したように、ハウジング部材１１１ａ，１１１ｂにそれぞれ形成されているので、第３従動体１２４を挟んで一対が配設されている。
【００７８】
これにより、各案内壁１３１〜１３４と第１〜第４従動体１２２〜１２５の外周面との間に搬送通路Ｗが略Ｓ字状に湾曲して形成される。遊技球の搬送は、遊技球を各案内壁１３１〜１３４に沿って行われる。
【００７９】
次いで、図１１から図２０を参照して、搬送装置１００による遊技球の搬送動作について説明する。図１１から図２０は、図５の矢印Ａ方向視における搬送装置１００の内部構造を示す構造図である。また、図１１から図２０の矢印Ｒ０，Ｒ１，Ｒ２，Ｒ３，Ｒ４は、駆動体１２１の回転方向、第１従動体１２２の回転方向、第２従動体１２３の回転方向、第３従動体１２４の回転方向、第４従動体１２５の回転方向を、それぞれ示している。
【００８０】
まず、図１１に示すように、駆動体１２１を駆動モータ１３０により回転駆動して、駆動体１２１が矢印Ｒ０方向へ回転すると、駆動体１２１の凹部１２１ｂ１（又は凹部１２１ｃ１）が取込口１１０ａに臨み、取込口１１０ａに取り込まれた遊技球が凹部１２１ｂ１（又は凹部１２１ｃ１）に受け入れられる。
【００８１】
ここで、本実施の形態では、上述したように、駆動体１２１は、凹部１２１ｂ１が凸部１２１ｃ２に対応する位置に配置されると共に凹部１２１ｃ１が凸部１２１ｃ２に対応する位置に配置されているので、凹部１２１ｂ１（又は凹部１２１ｃ１）が取込口１１０ａに臨む場合には、その凹部１２１ｂ１（又は凹部１２１ｃ１）に対応する位置に配置される（回転軸Ｃ０方向に対向する）凸部１２１ｃ２（又は凸部１２１ｂ２）が取込口１１０ａに臨み、取込口１１０ａに取り込まれた遊技球を凹部１２１ｂ１と凹部１２１ｃ１とにより交互に受け入れることができる。よって、回収通路の通路幅を狭める必要がなく、遊技球を搬送装置１００にスムーズに取り込むことができる。
【００８２】
また、上述したように、駆動体１２１は、凸部１２１ｂ２がその凸部１２１ｂ２に対応する位置に配置される（回転軸Ｃ０方向に対向する）凹部１２１ｃ１を覆うと共に凸部１２１ｃ２がその凸部１２１ｃ２に対応する位置に配置される（回転軸Ｃ０方向に対向する）凹部１２１ｂ１を覆う形状に形成されているので、凹部１２１ｂ１（又は凹部１２１ｃ１）に遊技球を受け入れる際に、その凹部１２１ｂ１（又は凹部１２１ｃ１）へ遊技球を凸部１２１ｃ２（又は凸部１２１ｂ２）により誘導することができ、凹部１２１ｂ１，１２１ｃ１に遊技球を円滑に受け入れることができる。
【００８３】
また、上述したように、駆動体１２１は、凹部１２１ｂ１と凹部１２１ｃ１とが回転方向Ｒ０に沿って連続して配置されているので、駆動体１２１の回転位置がどの位置であろうと、凹部１２１ｂ１又は凹部１２１ｃ１のいずれかに遊技球を受け入れることができる。その結果、遊技球を凹部１２１ｂ１，１２１ｃ１に効率良く受け入れて、球詰まりの抑制を図ることができる。
【００８４】
また、上述したように、凹部１２１ｂ１，１２１ｃ１は、軸部１２１ａの軸心方向へ向けて凹となる円弧状に形成されているので、かかる凹部１２１ｂ１，１２１ｃ１に受け入れた遊技球の勢いを放射状に分散して減じることができ、凹部１２１ｂ１，１２１ｃ１による球はじきを防止することができる。その結果、凹部１２１ｂ１，１２１ｃ１に遊技球を円滑に受け入れて、球詰まりの抑制を図ることができる。
【００８５】
次いで、図１１の状態から、駆動体１２１が更に矢印Ｒ０方向へ回転すると、駆動体１２１により遊技球が搬送され、図１２に示すように、駆動体１２１の凹部１２１ｂ１（又は凹部１２１ｃ１）と第１従動体１２２の凹部１２２ｂ１とが対向して、それら駆動体１２１の凹部１２１ｂ１（又は凹部１２１ｃ１）と第１従動体１２２の凹部１２２ｂ１との間に遊技球が受け入れられる。
【００８６】
次いで、図１２の状態から、駆動体１２１が更に矢印Ｒ０方向へ回転すると、図１３に示すように、駆動体１２１の凹部１２１ｂ１と第１従動体１２２の凹部１２２ｂ１との間に受け入れられた遊技球を媒体として駆動体１２１の回転力が第１従動体１２２に伝達され、第１従動体１２２が駆動体１２１の回転に従動され矢印Ｒ１方向へ回転する。これにより、遊技球が駆動体１２１の凹部１２１ｂ１（又は１２１ｃ１）から送り出され第１従動体１２２へ受け渡される。
【００８７】
ここで、本実施の形態では、上述したように、駆動体１２１は、凹部１２１ｂ１が凸部１２１ｃ２に対応する位置に配置されると共に凹部１２１ｃ１が凸部１２１ｂ２に対応する位置に配置されているので、凹部１２１ｂ１（又は凹部１２１ｃ１）が第１従動体１２２の凹部１２２ｂ１に対向する場合には、その凹部１２１ｂ１（又は凹部１２１ｃ１）に対応する位置に配置される（回転軸Ｃ０方向に対向する）凸部１２１ｃ２（又は凸部１２１ｂ２）が第１従動体１２２の凹部１２２ｂ１に対向し、凹部１２１ｂ１，１２１ｃ１に受け入れた遊技球を凹部１２１ｂ１と凹部１２１ｃ１とから交互に第１従動体１２２の凹部１２２ｂ１へ１個ずつ受け渡すことができる。これにより、第１従動体１２２の外周面に一列で凹設された凹部１２２ｂ１に遊技球を１個ずつ受け入れて一列に整列させることができる。
【００８８】
従って、駆動体１２１を駆動モータ１３０により回転駆動して、取込口１１０ａに２列（複列幅）で取り込まれた遊技球を強制的に一列に整列させる構成であるので、遊技球を複列幅で回収し、整流部において遊技球の自然流下を利用して一列に整列させる場合と比較して、遊技球を整流しつつも球詰まりを抑制することができる。
【００８９】
また、上述したように、駆動体１２１は、凹部１２１ｂ１，１２１ｃ１の深さが遊技球の半径よりも深く形成されているので、凹部１２１ｂ１，１２１ｃ１への遊技球の掛かり量を大きく確保することができる。
【００９０】
また、上述したように、第１案内壁１３１は、駆動体１２１の一対の羽根部１２１ｂ，１２１ｃの対向間に介挿され、駆動体１２１の凹部１２１ｂ１，１２１ｃ１の回転軌跡に交差すると共に凹部１２１ｂ１，１２１ｃ１の最底部における回転軌跡に達するまで延設されているので、駆動体１２１が回転して遊技球を凹部１２１ｂ１，１２１ｃ１から送り出す際に、凹部１２１ｂ１，１２１ｃ１と第１案内壁１３１との間に遊技球を挟み込んで送り出すと共に、第１案内壁１３１に沿って遊技球を押し続けることができる。
【００９１】
また、上述したように、凹部１２１ｂ１，１２１ｃ１は、開口側（羽根部１２１ｂ，１２１ｃの外周側）の幅が底側（軸部１２１ａの軸心側）の幅よりも幅広に形成されているので、凹部１２１ｂ１，１２１ｃ１と第１案内壁１３１との間に遊技球を挟み込んで送り出す構成であっても、遊技球を凹部１２１ｂ１，１２１ｃ１から円滑に送り出すことができる。よって、凹部１２１ｂ１，１２１ｃ１への遊技球の掛かり量を大きく確保できると共に、駆動体１２１が回転して遊技球を凹部１２１ｂ１，１２１ｃ１から送り出す際に、凹部１２１ｂ１，１２１ｃ１と第１案内壁１３１との間に遊技球を挟み込みつつ円滑に送り出すことができ、且つ、第１案内壁１３１に沿って遊技球を押し続けることができるので、駆動体１２１の回転力、即ち、搬送力を遊技球に十分に付与することができる。また、凹部１２１ｂ１，１２１ｃ１の開口側の幅が底側の幅よりも幅広に形成され、遊技球を凹部１２１ｂ１，１２１ｃ１から円滑に送り出すことができるので、凹部１２１ｂ１，１２１ｃ１と第１案内壁１３１との間の遊技球の噛み込みを防止することができる。
【００９２】
また、上述したように、駆動体１２１と第１従動体１２２とは、第１従動体１２２の羽根部１２２ｂが駆動体１２１の一対の羽根部１２１ｂ，１２１ｃの対向間に介挿され、駆動体１２１の凹部１２１ｂ１，１２１ｃ１の回転軌跡と第１従動体１２２の凹部１２２ｂ１の回転軌跡とが重なり合うような相対位置で配置されているので、駆動体１２１の凹部１２１ｂ１，１２１ｃ１及び第１従動体１２２の凹部１２２ｂ１への遊技球の掛かり量をいずれも大きく確保することができる。よって、駆動体１２１が回転して第１従動体１２２へ遊技球を受け渡す際に、駆動体１２１の回転力、即ち、搬送力を遊技球に十分に付与することができると共に、遊技球に付与された搬送力を第１従動体１２２に十分に伝達することができる。
【００９３】
また、上述したように、第１従動体１２２の羽根部１２２ｂが駆動体１２１の一対の羽根部１２１ｂ，１２１ｃの対向間に介挿されているので、駆動体１２１から第１従動体１２２へ遊技球を受け渡す際に、駆動体１２１の凹部１２１ｂ１，１２１ｃ１と第１従動体１２２の凹部１２２ｂ１との間で遊技球を安定して保持することができる。その結果、搬送力を遊技球に確実に付与することができると共に、遊技球に付与された搬送力を第１従動体１２２に確実に伝達することができる。
【００９４】
このように、第１従動体１２２による遊技球の搬送は、図１１から図１３の動作が繰り返されることで行われる。よって、駆動体１２１の凹部１２１ｂ１（又は凹部１２１ｃ１）と第１従動体１２２の凹部１２２ｂ１との間に遊技球が存在しなければ、第１従動体１２２は回転しないので、遊技球の搬送を行わず、搬送装置１００内に遊技球を貯留することができる。
【００９５】
また、駆動体１２１の凹部１２１ｂ１，１２１ｃ１と第１従動体１２２の凹部１２２ｂ１との間に受け入れられた遊技球を媒体として駆動体１２１の回転力が第１従動体１２２に伝達され、第１従動体１２２が駆動体１２１の回転に従動され回転するように構成されているので、駆動体１２１の回転と第１従動体１２２の回転とを同期させる必要がなく、それら回転のずれの問題を解消して、駆動体１２１と第１従動体１２２との間に遊技球を噛み込み難くすることができる。その結果、駆動体１２１から第１従動体１２２へ遊技球を円滑に受け渡して、球詰まりの抑制を図ることができる。
【００９６】
次いで、図１３の状態から、第１従動体１２２が更に矢印Ｒ１方向へ回転すると、第１従動体１２１により遊技球が搬送され、図１４に示すように、第１従動体１２２の凹部１２２ｂ１と第２従動体１２３の凹部１２３ｂ１，１２３ｃ１とが対向して、それら第１従動体１２２の凹部１２２ｂ１と第２従動体１２３の凹部１２３ｂ１，１２３ｃ１との間に遊技球が受け入れられる。
【００９７】
次いで、図１４の状態から、第１従動体１２２が更に矢印Ｒ１方向へ回転すると、図１５に示すように、第１従動体１２２の凹部１２２ｂ１と第２従動体１２３の凹部１２３ｂ１，１２３ｃ１との間に受け入れられた遊技球を媒体として第１従動体１２２の回転力が第２従動体１２３に伝達され、第２従動体１２３が第１従動体１２２の回転に従動され矢印Ｒ２方向へ回転する。これにより、遊技球が第１従動体１２２の凹部１２２ｂ１から送り出され第２従動体１２３へ受け渡される。
【００９８】
ここで、本実施の形態では、上述したように、第１従動体１２２は、凹部１２２ｂ１の深さが遊技球の半径よりも深く形成されているので、凹部１２２ｂ１への遊技球の掛かり量を大きく確保することができる。
【００９９】
また、上述したように、第２案内壁１３２は、第１従動体１２２を挟んで一対配設され、第１従動体１２２の凹部１２２ｂ１の回転軌跡に交差すると共に凹部１２２ｂ１の最底部における回転軌跡に達するまで延設されているので、第１従動体１２２が回転して遊技球を凹部１２２ｂ１から送り出す際に、凹部１２２ｂ１と第２案内壁１３２との間に遊技球を挟み込んで送り出すと共に、第２案内壁１３２に沿って遊技球を押し続けることができる。
【０１００】
また、上述したように、凹部１２２ｂ１は、開口側（羽根部１２２ｂの外周側）の幅が底側（軸部１２２ａの軸心側）の幅よりも幅広に形成されているので、凹部１２２ｂ１と第２案内壁１３２との間に遊技球を挟み込んで送り出す構成であっても、遊技球を凹部１２２ｂ１から円滑に送り出すことができる。よって、凹部１２２ｂ１への遊技球の掛かり量を大きく確保できると共に、第１従動体１２２が回転して遊技球を凹部１２２ｂ１から送り出す際に、凹部１２２ｂ１と第２案内壁１３２との間に遊技球を挟み込みつつ円滑に送り出すことができ、且つ、第２案内壁１３２に沿って遊技球を押し続けることができるので、第１従動体１２２の回転力、即ち、搬送力を遊技球に十分に付与することができる。また、凹部１２２ｂ１の開口側の幅が底側の幅よりも幅広に形成され、遊技球を凹部１２２ｂ１から円滑に送り出すことができるので、凹部１２２ｂ１と第２案内壁１３２との間の遊技球の噛み込みを防止することができる。
【０１０１】
また、上述したように、第１従動体１２２と第２従動体１２３とは、第１従動体１２２の羽根部１２２ｂが第２従動体１２３の一対の羽根部１２３ｂ，１２３ｃの対向間に介挿され、第１従動体１２２の凹部１２２ｂ１の回転軌跡と第２従動体１２３の凹部１２３ｂ１，１２３ｃ１の回転軌跡とが重なり合うような相対位置で配置されているので、第１従動体１２２の凹部１２２ｂ１及び第２従動体１２３の凹部１２３ｂ１，１２３ｃ１への遊技球の掛かり量をいずれも大きく確保することができる。よって、第１従動体１２２が回転して第２従動体１２３へ遊技球を受け渡す際に、第１従動体１２２の回転力、即ち、搬送力を遊技球に十分に付与することができると共に、遊技球に付与された搬送力を第２従動体１２３に十分に伝達することができる。
【０１０２】
また、上述したように、第１従動体１２２の羽根部１２２ｂが第２従動体１２３の一対の羽根部１２３ｂ，１２３ｃの対向間に介挿されているので、第１従動体１２２から第２従動体１２３へ遊技球を受け渡す際に、第１従動体１２２の凹部１２２ｂ１と第２従動体１２３の凹部１２３ｂ１，１２３ｃ１との間で遊技球を安定して保持することができる。その結果、搬送力を遊技球に確実に付与することができると共に、遊技球に付与された搬送力を第２従動体１２３に確実に伝達することができる。
【０１０３】
このように、第２従動体１２３による遊技球の搬送は、図１４及び図１５の動作が繰り返されることで行われる。よって、第１従動体１２２の凹部１２２ｂ１と第２従動体１２３の凹部１２３ｂ１，１２３ｃ１との間に遊技球が存在しなければ、第２従動体１２３は回転しないので、遊技球の搬送を行わず、搬送装置１００内に遊技球を貯留することができる。
【０１０４】
次いで、図１５の状態から、第２従動体１２３が更に矢印Ｒ２方向へ回転すると、第２従動体１２３により遊技球が搬送され、図１６に示すように、第２従動体１２３の凹部１２３ｂ１，１２３ｃ１と第３従動体１２４の凹部１２４ｂ１とが対向して、それら第２従動体１２３の凹部１２３ｂ１，１２３ｃ１と第３従動体１２４の凹部１２４ｂ１との間に遊技球が受け入れられる。
【０１０５】
次いで、図１６の状態から、第２従動体１２３が更に矢印Ｒ２方向へ回転すると、図１７に示すように、第２従動体１２３の凹部１２３ｂ１，１２３ｃ１と第３従動体１２４の凹部１２４ｂ１との間に受け入れられた遊技球を媒体として第２従動体１２３の回転力が第３従動体１２４に伝達され、第３従動体１２４が第２従動体１２３の回転に従動され矢印Ｒ３方向へ回転する。これにより、遊技球が第２従動体１２３の凹部１２３ｂ１，１２３ｃ１から送り出され第３従動体１２４へ受け渡される。
【０１０６】
ここで、本実施の形態では、上述したように、第２従動体１２３は、凹部１２３ｂ１，１２３ｃ１の深さが遊技球の半径よりも深く形成されているので、凹部１２３ｂ１，１２３ｃ１への遊技球の掛かり量を大きく確保することができる。
【０１０７】
また、上述したように、第３案内壁１３３は、第２従動体１２３の一対の羽根部１２３ｂ，１２３ｃの対向間に介挿され、第２従動体１２３の凹部１２３ｂ１，１２３ｃ１の回転軌跡に交差すると共に凹部１２３ｂ１，１２３ｃ１の最底部における回転軌跡に達するまで延設されているので、第２従動体１２３が回転して遊技球を凹部１２３ｂ１，１２３ｃ１から送り出す際に、凹部１２３ｂ１，１２３ｃ１と第３案内壁１３３との間に遊技球を挟み込んで送り出すと共に、第３案内壁１３３に沿って遊技球を押し続けることができる。
【０１０８】
また、上述したように、凹部１２３ｂ１，１２３ｃ１は、開口側（羽根部１２３ｂ，１２３ｃの外周側）の幅が底側（軸部１２３ａの軸心側）の幅よりも幅広に形成されているので、凹部１２３ｂ１，１２３ｃ１と第３案内壁１３３との間に遊技球を挟み込んで送り出す構成であっても、遊技球を凹部１２３ｂ１，１２３ｃ１から円滑に送り出すことができる。よって、凹部１２３ｂ１，１２３ｃ１への遊技球の掛かり量を大きく確保できると共に、第２従動体１２３が回転して遊技球を凹部１２３ｂ１，１２３ｃ１から送り出す際に、凹部１２３ｂ１，１２３ｃ１と第３案内壁１３３との間に遊技球を挟み込みつつ円滑に送り出すことができ、且つ、第３案内壁１３３に沿って遊技球を押し続けることができるので、第２従動体１２３の回転力、即ち、搬送力を遊技球に十分に付与することができる。また、凹部１２３ｂ１，１２３ｃ１の開口側の幅が底側の幅よりも幅広に形成され、遊技球を凹部１２３ｂ１，１２３ｃ１から円滑に送り出すことができるので、凹部１２３ｂ１，１２３ｃ１と第３案内壁１３３との間の遊技球の噛み込みを防止することができる。
【０１０９】
また、上述したように、第２従動体１２３と第３従動体１２４とは、第３従動体１２４の羽根部１２４ｂが第２従動体１２３の一対の羽根部１２３ｂ，１２３ｃの対向間に介挿され、第２従動体１２３の凹部１２３ｂ１，１２３ｃ１の回転軌跡と第３従動体１２４の凹部１２４ｂ１の回転軌跡とが重なり合うような相対位置で配置されているので、第２従動体１２３の凹部１２３ｂ１，１２３ｃ１及び第３従動体１２４の凹部１２４ｂ１への遊技球の掛かり量をいずれも大きく確保することができる。よって、第２従動体１２３が回転して第３従動体１２４へ遊技球を受け渡す際に、第２従動体１２３の回転力、即ち、搬送力を遊技球に十分に付与することができると共に、遊技球に付与された搬送力を第３従動体１２４に十分に伝達することができる。
【０１１０】
また、上述したように、第３従動体１２４の羽根部１２４ｂが第２従動体１２３の一対の羽根部１２３ｂ，１２３ｃの対向間に介挿されているので、第２従動体１２３から第３従動体１２４へ遊技球を受け渡す際に、第２従動体１２３の凹部１２３ｂ１，１２３ｃ１と第３従動体１２４の凹部１２４ｂ１との間で遊技球を安定して保持することができる。その結果、搬送力を遊技球に確実に付与することができると共に、遊技球に付与された搬送力を第３従動体１２４に確実に伝達することができる。
【０１１１】
このように、第３従動体１２４による遊技球の搬送は、図１６及び図１７の動作が繰り返されることで行われる。よって、第２従動体１２３の凹部１２３ｂ１，１２３ｃ１と第３従動体１２４の凹部１２４ｂ１との間に遊技球が存在しなければ、第３従動体１２４は回転しないので、遊技球の搬送を行わず、搬送装置１００内に遊技球を貯留することができる。
【０１１２】
次いで、図１７の状態から、第３従動体１２４が更に矢印Ｒ３方向へ回転すると、第３従動体１２４により遊技球が搬送され、図１８に示すように、第３従動体１２４の凹部１２４ｂ１と第４従動体１２５の凹部１２５ｂ１，１２５ｃ１とが対向して、それら第３従動体１２４の凹部１２４ｂ１と第４従動体１２５の凹部１２５ｂ１，１２５ｃ１との間に遊技球が受け入れられる。
【０１１３】
次いで、図１８の状態から、第３従動体１２４が更に矢印Ｒ３方向へ回転すると、図１９に示すように、第３従動体１２４の凹部１２４ｂ１と第４従動体１２５の凹部１２５ｂ１，１２５ｃ１との間に受け入れられた遊技球を媒体として第３従動体１２４の回転力が第４従動体１２５に伝達され、第４従動体１２５が第３従動体１２４の回転に従動され矢印Ｒ４方向へ回転する。これにより、遊技球が第３従動体１２４の凹部１２４ｂ１から送り出され第４従動体１２５へ受け渡される。
【０１１４】
ここで、本実施の形態では、上述したように、第３従動体１２４は、凹部１２４ｂ１の深さが遊技球の半径よりも深く形成されているので、凹部１２４ｂ１への遊技球の掛かり量を大きく確保することができる。
【０１１５】
また、上述したように、第４案内壁１３４は、第３従動体１２４を挟んで一対配設され、第３従動体１２４の凹部１２４ｂ１の回転軌跡に交差すると共に凹部１２４ｂ１の最底部における回転軌跡に達するまで延設されているので、第３従動体１２４が回転して遊技球を凹部１２４ｂ１から送り出す際に、凹部１２４ｂ１と第４案内壁１３４との間に遊技球を挟み込んで送り出すと共に、第４案内壁１３４に沿って遊技球を押し続けることができる。
【０１１６】
また、上述したように、凹部１２４ｂ１は、開口側（羽根部１２４ｂの外周側）の幅が底側（軸部１２４ａの軸心側）の幅よりも幅広に形成されているので、凹部１２４ｂ１と第４案内壁１３４との間に遊技球を挟み込んで送り出す構成であっても、遊技球を凹部１２４ｂ１から円滑に送り出すことができる。よって、凹部１２４ｂ１への遊技球の掛かり量を大きく確保できると共に、第３従動体１２４が回転して遊技球を凹部１２４ｂ１から送り出す際に、凹部１２４ｂ１と第４案内壁１３４との間に遊技球を挟み込みつつ円滑に送り出すことができ、且つ、第４案内壁１３４に沿って遊技球を押し続けることができるので、第３従動体１２４の回転力、即ち、搬送力を遊技球に十分に付与することができる。また、凹部１２４ｂ１の開口側の幅が底側の幅よりも幅広に形成され、遊技球を凹部１２４ｂ１から円滑に送り出すことができるので、凹部１２４ｂ１と第４案内壁１３４との間の遊技球の噛み込みを防止することができる。
【０１１７】
また、上述したように、第３従動体１２４と第４従動体１２５とは、第３従動体１２４の羽根部１２４ｂが第４従動体１２５の一対の羽根部１２５ｂ，１２５ｃの対向間に介挿され、第３従動体１２４の凹部１２４ｂ１の回転軌跡と第４従動体１２５の凹部１２５ｂ１，１２５ｃ１の回転軌跡とが重なり合うような相対位置で配置されているので、第３従動体１２４の凹部１２４ｂ１及び第４従動体１２５の凹部１２５ｂ１，１２５ｃ１への遊技球の掛かり量をいずれも大きく確保することができる。よって、第３従動体１２４が回転して第４従動体１２５へ遊技球を受け渡す際に、第３従動体１２４の回転力、即ち、搬送力を遊技球に十分に付与することができると共に、遊技球に付与された搬送力を第４従動体１２５に十分に伝達することができる。
【０１１８】
また、上述したように、第３従動体１２４の羽根部１２４ｂが第４従動体１２５の一対の羽根部１２５ｂ，１２５ｃの対向間に介挿されているので、第３従動体１２４から第４従動体１２５へ遊技球を受け渡す際に、第３従動体１２４の凹部１２４ｂ１と第４従動体１２５の凹部１２５ｂ１，１２５ｃ１との間で遊技球を安定して保持することができる。その結果、搬送力を遊技球に確実に付与することができると共に、遊技球に付与された搬送力を第４従動体１２５に確実に伝達することができる。
【０１１９】
このように、第４従動体１２５による遊技球の搬送は、図１８及び図１９の動作が繰り返されることで行われる。よって、第３従動体１２４の凹部１２４ｂ１と第４従動体１２５の凹部１２５ｂ１，１２５ｃ１との間に遊技球が存在しなければ、第４従動体１２５は回転しないので、遊技球の搬送を行わず、搬送装置１００内に遊技球を貯留することができる。
【０１２０】
次いで、図１９の状態から、第４従動体１２５が更に矢印Ｒ４方向へ回転すると、第４従動体１２５により遊技球が搬送され、図２０に示すように、第４従動体１２５の凹部１２５ｂ１，１２５ｃ１が排出口１１０ｂに臨み、第４従動体１２５の凹部１２５ｂ１，１２５ｃ１に受け入れられた遊技球が排出口１１０ｂから上皿１６へ排出される。
【０１２１】
以上、説明したように、パチンコ機１０は、搬送装置１００を遊技球の搬送のためだけに用いるのではなく、遊技球の貯留スペースとして利用することで、より多くの遊技球を遊技機内に貯留することができる。
【０１２２】
また、回転体１２０は、複数の従動体（本実施の形態では、第１従動体１２２、第２従動体１２３、第３従動体１２４及び第４従動体１２５）を備えて構成されているので、例えば、同数の遊技球を搬送装置１００内に貯留する場合、複数の従動体を備えていない搬送装置と比較して、各従動体を小型化することで、同数の遊技球を貯留可能としつつも搬送装置１００を小型化することができる。
【０１２３】
また、筐体１１０の内部に形成される搬送通路Ｗは、Ｓ字状に湾曲して形成されているので、かかる搬送通路Ｗを直線状に形成する場合と比較して、より多くの遊技球を遊技機内に貯留することができる。
【０１２４】
ところで、従来、封入式遊技機では、単に、遊技球を数珠繋ぎに並べて貯留するように構成されていた。しかしながら、かかる構成では、例えば、一般入賞口２３、第１入球口２４及び特定入賞口２５等へ入球し易くするために、正常な遊技球の直径よりも小径の不正球を用いて遊技が不正に行われたとしても、その不正を検出することができなかった。
【０１２５】
即ち、不正球を用いると、数珠繋ぎに並んだ遊技球の最後尾の位置が変化するため、遊技球の存在を検知するセンサ等を設けることで不正を検出することはできるが、正常な封入個数よりも多くの不正球が機内に投入された場合には、かかるセンサ等を設けたとしても、不正を検出することができなかった。これに対し、本実施の形態における搬送装置１００によれば、搬送装置１００内に貯留できる遊技球の個数を予め設定できるので、容易に不正を検出することができる。
【０１２６】
以上、実施の形態に基づき本発明を説明したが、本発明は上記形態に何ら限定されるものではなく、本発明の趣旨を逸脱しない範囲内で種々の変形改良が可能であることは容易に推察できるものである。
【０１２７】
例えば、上記各実施の形態で挙げた数値は一例であり、他の数値を採用することは当然可能である。
【０１２８】
上記実施の形態では、パチンコ機１０を封入式のパチンコ遊技機として構成する場合を説明したが、必ずしもこれに限られるものではなく、遊技者への遊技球の直接的な貸し出しや払い出しを行う一般的なパチンコ遊技機として構成しても良い。
【０１２９】
上記実施の形態では、回転体１２０を駆動体１２１と第１従動体１２２と第２従動体１２３と第３従動体１２４と第４従動体１２５との合計５つの部材を備えて構成する場合を説明したが、必ずしもこれに限られるものではなく、例えば、駆動体１２１と第１従動体１２２のみ、或いは６つ以上の部材を備えて構成しても良い。これにより、搬送装置１００による遊技球の貯留個数を任意に変更することができる。
【０１３０】
また、駆動体１２１の凹部１２１ｂ１，１２１ｃ１、第１従動体１２２の凹部１２２ｂ１、第２従動体１２３の凹部１２３ｂ１，１２３ｃ１、第３従動体１２４の凹部１２４ｂ１及び第４従動体１２５の凹部１２５ｂ１，１２５ｃ１の個数は上記実施の形態に限られるものではなく、他の個数とすることは当然可能である。
【０１３１】
上記実施の形態では、搬送装置１００により遊技球をパチンコ機１０の上方（図１上側）へ揚送する場合を説明したが、必ずしもこれに限られるものではなく、例えば、パチンコ機１０の左右方向（図１左側または右側）へ搬送するように構成しても良い。
【符号の説明】
【０１３２】
１０                      パチンコ機（遊技機）
１６                      上皿（供給通路）
４１ａ                    回収通路
４２ａ                    案内通路（回収通路）
４３ａ                    回収通路
５０                      発射装置
１００                    搬送装置
１１０                    筐体
１１０ａ                  取込口
１１０ｂ                  排出口
１２０                    回転体
１２１                    駆動体（回転体の一部）
１２１ａ                  軸部
１２１ｂ，１２１ｃ        羽根部
１２１ｂ１，１２１ｃ１    凹部
１２１ｂ２，１２１ｃ２    凸部
１２２                    第１従動体（回転体の一部、従動体）
１２２ａ                  軸部
１２２ｂ                  羽根部
１２２ｂ１                凹部
１２３                    第２従動体（回転体の一部）
１２３ａ                  軸部
１２３ｂ，１２３ｃ        羽根部
１２３ｂ１，１２３ｃ１    凹部
１２４                    第３従動体（回転体の一部）
１２４ａ                  軸部
１２４ｂ                  羽根部
１２４ｂ１                凹部
１２５                    第４従動体（回転体の一部）
１２５ａ                  軸部
１２５ｂ，１２５ｃ        羽根部
１２５ｂ１，１２５ｃ１    凹部
１３０                    駆動モータ（回転駆動手段）
１３１                    第１案内壁（案内壁の一部）
１３２                    第２案内壁（案内壁の一部）
１３３                    第３案内壁（案内壁の一部）
１３４                    第４案内壁（案内壁の一部）
Ｗ                        搬送通路
【図１】
2018086468.tif 000003
【図２】
2018086468.tif 000004
【図３】
2018086468.tif 000005
【図４】
2018086468.tif 000006
【図５】
2018086468.tif 000007
【図６】
2018086468.tif 000008
【図７】
2018086468.tif 000009
【図８】
2018086468.tif 000010
【図９】
2018086468.tif 000011
【図１０】
2018086468.tif 000012
【図１１】
2018086468.tif 000013
【図１２】
2018086468.tif 000014
【図１３】
2018086468.tif 000015
【図１４】
2018086468.tif 000016
【図１５】
2018086468.tif 000017
【図１６】
2018086468.tif 000018
【図１７】
2018086468.tif 000019
【図１８】
2018086468.tif 000020
【図１９】
2018086468.tif 000021
【図２０】
2018086468.tif 000022
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
遊技球を供給する通路となる供給通路と、その供給通路から供給された遊技球を発射する発射装置と、その発射装置から発射された遊技球を回収する通路となる回収通路と、その回収通路から前記供給通路へ前記遊技球を搬送する搬送装置とを備えた遊技機において、
前記搬送装置は、
箱状の筐体と、
その筐体の内部に収容され回転可能に軸支される複数の回転体と、
それら複数の回転体の内の１の回転体に駆動力を付与して回転駆動する回転駆動手段とを備え、
前記筐体は、
前記回収通路から前記遊技球を複列幅で取り込む取込口と、
その取込口から取り込まれた遊技球を一列で搬送する搬送通路と、
その搬送通路を通じて搬送された遊技球を排出する排出口とを備え、
前記複数の回転体は、
前記搬送通路を通じて前記遊技球を搬送するためのものであり、前記取込口に臨んで配設されると共に前記回転駆動手段により駆動力が付与されることで回転する駆動体と、
その駆動体の周囲に配設されると共に前記遊技球を媒体として前記駆動体の回転力が伝達されることで回転する従動体とを備え、
前記駆動体は、
回転軸と直交する方向へ張り出すと共に前記回転軸方向に対向して配設される一対の羽根部を備え、
その一対の羽根部の外周面に前記取込口から前記遊技球を受け入れる凹部および前記遊技球を受け支える凸部が回転方向に沿って交互に形成されると共に、前記回転軸方向視において前記一対の羽根部の一方の羽根部の凹部が他方の羽根部の凸部に対応する位置に配置され、
前記従動体は、
回転軸と直交する方向へ張り出す一枚の羽根部を備え、
その一枚の羽根部の外周面に前記駆動体の凹部から前記遊技球を受け入れる凹部が回転方向に沿って複数形成されると共に、前記回転軸方向において前記一枚の羽根部が前記駆動体の前記一対の羽根部の対向間に介挿される位置に配設されるものであって、
前記駆動体が回転することで前記取込口から前記遊技球を前記一対の羽根部の一方の羽根部の凹部と他方の羽根部の凹部とにより交互に１個ずつ受け入れると共に、その受け入れられた遊技球を前記一方の羽根部の凹部と他方の羽根部の凹部とから交互に前記従動体の凹部へ１個ずつ受け渡すことにより、前記搬送通路を通じて前記遊技球を搬送することを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機などに代表される遊技機に関するものである。
【背景技術】
【０００２】
従来、パチンコ球などの遊技球を使用して遊技を行う遊技機の一例として、所定個数の遊技球を遊技機内に封入し、それら所定個数の遊技球を遊技機内で循環させて遊技に使用する封入式遊技機が知られている。
【０００３】
一般に、封入式遊技機は、遊技球を供給する通路となる供給通路と、その供給通路から供給された遊技球を発射する発射装置と、その発射装置から発射された遊技球を回収する通路となる回収通路と、その回収通路から供給通路へ遊技球を搬送する搬送装置とを備え、それら供給通路と発射装置と回収通路と搬送装置との間で遊技球を循環させるように構成されている（例えば、特許文献１）。
また、上記のように構成される封入式遊技機では、遊技に使用する遊技球数を管理する必要があり、遊技球を１個ずつ検出するためには、遊技球を整流して一列に整列させる整流部が必要となる。従って、回収通路では、遊技球を複列幅で回収し、整流部において遊技球の自然流下を利用して一列に整列させた後、搬送装置に取り込むように構成されている。
【先行技術文献】
【特許文献】
【０００４】
【特許文献１】特許第３８２８３１１号公報
【発明の概要】
【発明が解決しようとする課題】
【０００５】
しかしながら、遊技球を複列幅で回収し、整流部において遊技球の自然流下を利用して一列に整列させる構成では、かかる整流部に遊技球が集中して、球詰まりが生じ易いという問題点があった。
【０００６】
また、勢いよく流下する遊技球は、整流部において、球同士の衝突または狭まった通路壁との衝突を起こすため、遊技球の回収が遅れ、搬送装置への遊技球の取込不順を起こし易いという問題点があった。
【０００７】
本発明は、上述した問題点を解決するためになされたものであり、整流部における球詰まりを抑制して、遊技球をスムーズに取り込むことができる搬送装置を備えた遊技機を提供することを目的としている。
【課題を解決するための手段】
【０００８】
この目的を達成するために請求項１記載の遊技機は、遊技球を供給する通路となる供給通路と、その供給通路から供給された遊技球を発射する発射装置と、その発射装置から発射された遊技球を回収する通路となる回収通路と、その回収通路から前記供給通路へ前記遊技球を搬送する搬送装置とを備え、前記搬送装置は、箱状の筐体と、その筐体の内部に収容され回転可能に軸支される複数の回転体と、それら複数の回転体の内の１の回転体に駆動力を付与して回転駆動する回転駆動手段とを備え、前記筐体は、前記回収通路から前記遊技球を複列幅で取り込む取込口と、その取込口から取り込まれた遊技球を一列で搬送する搬送通路と、その搬送通路を通じて搬送された遊技球を排出する排出口とを備え、前記複数の回転体は、前記搬送通路を通じて前記遊技球を搬送するためのものであり、前記取込口に臨んで配設されると共に前記回転駆動手段により駆動力が付与されることで回転する駆動体と、その駆動体の周囲に配設されると共に前記遊技球を媒体として前記駆動体の回転力が伝達されることで回転する従動体とを備え、前記駆動体は、回転軸と直交する方向へ張り出すと共に前記回転軸方向に対向して配設される一対の羽根部を備え、その一対の羽根部の外周面に前記取込口から前記遊技球を受け入れる凹部および前記遊技球を受け支える凸部が回転方向に沿って交互に形成されると共に、前記回転軸方向視において前記一対の羽根部の一方の羽根部の凹部が他方の羽根部の凸部に対応する位置に配置され、前記従動体は、回転軸と直交する方向へ張り出す一枚の羽根部を備え、その一枚の羽根部の外周面に前記駆動体の凹部から前記遊技球を受け入れる凹部が回転方向に沿って複数形成されると共に、前記回転軸方向において前記一枚の羽根部が前記駆動体の前記一対の羽根部の対向間に介挿される位置に配設されるものであって、前記駆動体が回転することで前記取込口から前記遊技球を前記一対の羽根部の一方の羽根部の凹部と他方の羽根部の凹部とにより交互に１個ずつ受け入れると共に、その受け入れられた遊技球を前記一方の羽根部の凹部と他方の羽根部の凹部とから交互に前記従動体の凹部へ１個ずつ受け渡すことにより、前記搬送通路を通じて前記遊技球を搬送する。
【０００９】
【００１０】
【００１１】
【発明の効果】
【００１２】
請求項１記載の遊技機によれば、駆動体を回転駆動手段により回転駆動して強制的に遊技球を一列に整列させる構成であるので、遊技球を複列幅で回収し、整流部において遊技球の自然流下を利用して一列に整列させる場合と比較して、遊技球を整流しつつも球詰まりを抑制することができるという効果がある。
【００１３】
また、駆動体の一方の羽根部の凹部が取込口に臨む場合に、その凹部に対応する位置に配置される他方の羽根部の凸部が取込口に臨む構成であるので、回収通路の通路幅を狭める必要がなく、遊技球を搬送装置にスムーズに取り込むことができるという効果がある。
【００１４】
【００１５】
【図面の簡単な説明】
【００１６】
【図１】パチンコ機および球貸ユニットの正面図である。
【図２】パチンコ機の背面図である。
【図３】前面枠を取り外した状態を示すパチンコ機の正面図である。
【図４】前面枠の分解斜視図である。
【図５】搬送装置１００の分解斜視図である。
【図６】（ａ）は、駆動体の斜視図であり、（ｂ）は、回転軸方向視における駆動体の正面図である。
【図７】（ａ）は、第１従動体の斜視図であり、（ｂ）は、回転軸方向視における第１従動体の正面図である。
【図８】（ａ）は、第２従動体の斜視図であり、（ｂ）は、回転軸方向視における第２従動体の正面図である。
【図９】図５の矢印Ａ方向視における搬送装置の内部構造を示す構造図である。
【図１０】図５の矢印Ａ方向視における搬送装置の内部構造を示す構造図である。
【図１１】図５の矢印Ａ方向視における搬送装置の内部構造を示す構造図である。
【図１２】図５の矢印Ａ方向視における搬送装置の内部構造を示す構造図である。
【図１３】図５の矢印Ａ方向視における搬送装置の内部構造を示す構造図である。
【図１４】図５の矢印Ａ方向視における搬送装置の内部構造を示す構造図である。
【図１５】図５の矢印Ａ方向視における搬送装置の内部構造を示す構造図である。
【図１６】図５の矢印Ａ方向視における搬送装置の内部構造を示す構造図である。
【図１７】図５の矢印Ａ方向視における搬送装置の内部構造を示す構造図である。
【図１８】図５の矢印Ａ方向視における搬送装置の内部構造を示す構造図である。
【図１９】図５の矢印Ａ方向視における搬送装置の内部構造を示す構造図である。
【図２０】図５の矢印Ａ方向視における搬送装置の内部構造を示す構造図である。
【発明を実施するための形態】
【００１７】
以下、本発明の好ましい実施の形態について、添付図面を参照して説明する。まず、図１を参照して、本発明におけるパチンコ遊技機（以下、単に「パチンコ機」と称す。）１０の外観構成および球貸ユニット７０について説明する。なお、本実施の形態において、パチンコ機１０は、球貸ユニット７０に接続されて使用されるものであり、球貸ユニット７０に投入された紙幣やカードの残額に応じて遊技を行うことができるように構成されている。また、パチンコ機１０は、遊技者への遊技球の直接的な貸し出しや払い出しを行うものではなく、貸出球や賞球を数値化して（得点として）遊技者に付与することで、パチンコ機１０内に封入された所定個数（本実施の形態では４０個）の遊技球（パチンコ球）をパチンコ機１０内で循環させて遊技に使用する、いわゆる封入式のパチンコ遊技機として構成されている。
【００１８】
図１は、パチンコ機１０及び球貸ユニット７０の正面図である。図１に示すように、パチンコ機１０は、外郭を形成する外枠１１と、その外枠１１に開閉可能に支持される内枠１２とを備えている。外枠１１には、正面視左側（図１左側）の上下２か所にヒンジ１７が配設され、このヒンジ１７を介して内枠１２が開閉可能に支持されている。内枠１２には、楕円形状の開口部１２ａ（図３参照）が開口形成され、この開口部１２ａには、裏面側から遊技盤１３が着脱可能に取り付けられている。
【００１９】
遊技盤１３の前面には、発射装置５０（図３参照）から発射された遊技球を遊技盤１３の上部に案内するためのレール２１，２２（図３参照）が配設されている。パチンコ機１０では、レール２１，２２により遊技盤１３の前面上部に案内された遊技球が遊技盤１３の前面（遊技領域）を落下することにより遊技が行われる。
【００２０】
遊技盤１３には、遊技球が入球し得る一般入賞口２３、第１入球口２４及び特定入賞口（大開放口）２５が配設されている。これら一般入賞口２３、第１入球口２４及び特定入賞口２５に遊技球が入球すると、賞球としての得点が遊技者に付与される。また、遊技盤１３には、一般入賞口２３、第１入球口２４及び特定入賞口２５のいずれにも入球しなかった遊技球（以下、「アウト球」と称す。）が入球するアウト口２６が配設されている。
【００２１】
その他、遊技盤１３の前面には、遊技球の落下方向を分散および調整するための多数の釘２７、風車などの各種部材２８及び第１入球口２４への入球をトリガとして図柄を変動表示する可変表示装置ユニット２９等が配設されている。
【００２２】
内枠１２には、正面視左側（図１左側）の上下２か所にヒンジ１８が配設され、このヒンジ１８を介して前面枠１４が開閉可能に支持されている。前面枠１４には、楕円形状の開口部１４ａが開口形成されている。この開口部１４ａには、裏面側から板ガラス（図示せず）が取り付けられ、この板ガラスを介して遊技盤１３の前面が視認可能となっている。
【００２３】
また、前面枠１４には、その周囲にランプ３１〜３６が配設されている。遊技に際しては、これらランプ３１〜３６により、その都度、遊技状況に応じたランプ演出が行われる。即ち、ランプ３１〜３６による発光色や発光パターンを適宜変更することで、役の成立やエラーなどが遊技者に告知される。
【００２４】
開口部１４ａの下方（図１下側）には、遊技者の持球を得点として表示するための得点表示部３７が配設されている。この得点表示部３７では、貸出球や賞球の総数が遊技者の持球として得点表示される。
【００２５】
また、開口部１４ａの下方（図１下側）には、上皿１６及び搬送装置１００（いずれも図４参照）を内部に配設するための張出部３８が前方（図１紙面表側）に張り出して形成されている。なお、本実施の形態において、パチンコ機１０は、一般的なパチンコ遊技機とは異なり、遊技球を貯留するための下皿が省略されている。
【００２６】
張出部３８の正面視右側（図１右側）には、遊技球を遊技領域へ打ち込むための操作ハンドル３９が配設されている。遊技者により操作ハンドル３９が回動操作されると、操作ハンドル３９の回動操作量に応じた強さで遊技球が発射される。
【００２７】
パチンコ機１０の正面視左側（図１左側）には、球貸ユニット７０が配置されている。この球貸ユニット７０には、紙幣を投入するための紙幣投入口７１及びカードを挿入するためのカード挿入口７２が配設されている。遊技者により紙幣投入口７１に紙幣が投入される、或いはカード挿入口７２にカードが挿入されると、紙幣やカードの残額に応じて、遊技者への貸出球の貸出が可能な状態となる。
【００２８】
紙幣投入口７１の下方（図１下側）には、紙幣投入口７１に投入された紙幣やカード挿入口７２に挿入されたカードの残額を表示するための残額表示部７３が配設されると共に、その残額表示部７３の下方（図１下側）には、貸出球を得るための貸出ボタン７４が配設されている。遊技者により貸出ボタン７４が操作されると、紙幣またはカードに残額が存在する限りにおいて、得点表示部３７に表示された得点が貸出ボタン７４の操作回数に応じて加算される。
【００２９】
貸出ボタン７４の下方（図１下側）には、カード投入孔７２に挿入されたカードの返却を求めるための返却ボタン７５が配設されている。その他、球貸ユニット７０には、貸出球や賞球の球単価を設定するための球単価設定ボタン７６（例えば、球単価を２円、３円または４円の内から選択して設定するボタン）やカード挿入口７２に挿入されたカードの暗証番号を入力するための入力ボタン７７等が配設されている。
【００３０】
次いで、図２から図４を参照して、パチンコ機１０の内部構成について説明する。図２は、パチンコ機１０の背面図であり、図３は、前面枠１４を取り外した状態を示すパチンコ機１０の正面図である。また、図４は、前面枠１４の分解斜視図である。なお、図３では、図面の理解を容易とするために、遊技盤１３の構成を一部省略して図示している。
【００３１】
図２に示すように、遊技盤１３の裏面には、一般入賞口２３、第１入球口２４及び特定入賞口２５（図１参照）に入球した遊技球（以下、「入賞球」と称す。）を遊技盤１３の裏面側で回収するため入賞球回収盤４１が取り付けられている。この入賞球回収盤４１には、一般入賞口２３、第１入球口２４及び特定入賞口２５にそれぞれ連通されると共に下方（図２下側）が開放される回収通路４１ａが形成されている。
【００３２】
また、入賞球回収盤４１の下方（図２下側）には、入賞球回収盤４１により回収された入賞球を内枠１２の前面へ案内するための案内盤４２が取り付けられている。この案内盤４２には、上方（図２上側）が開放されると共に内枠１２の前面に取り付けられたファール球回収盤４３の回収通路４３ａ（図３参照）に連通される案内通路４２ａが形成されている。
【００３３】
従って、入賞球は、図２の仮想線で示すように、まず、入賞球回収盤４１の回収通路４１ａを通じて回収され、その後、案内盤４２の案内通路４２ａを通じて内枠１２の前面へ案内される。また、案内盤４２の案内通路４２ａは、アウト口２６（図１参照）にも連通されており、アウト球も同様に、案内盤４２の案内通路４２ａを通じて内枠１２の前面へ案内される。
【００３４】
また、遊技盤１３の裏面には、一般入賞口２３への遊技球の入球を検出する入賞口検出スイッチ４４、第１入球口２４への遊技球の入球を検出する第１入球口検出スイッチ４５、特定入賞口２５への遊技球の入球数をカウントするカウントスイッチ４６が配設されている。これら各スイッチ４４〜４６により遊技球の入球が検出されると、検出結果に基づいて賞球数が決定されると共に、その決定された賞球数に応じて得点表示部３７に表示された得点が加算される。
【００３５】
図３に示すように、内枠１２の前面には、遊技球を遊技領域へ発射するための発射装置５０が配設されている。この発射装置５０は、遊技球に発射力を付与する発射ソレノイド５１と、その発射ソレノイド５１から遊技盤１３のレール２１，２２へ遊技球を案内する発射レール５２と、上皿１６（図４参照）から案内された遊技球を１個ずつ発射レール５２に供給する供給装置５３とを備えている。なお、発射ソレノイド５１により遊技球に付与される発射力は、遊技者による操作ハンドル３９（図１参照）の回動操作量に応じて決定される。発射装置５０により遊技球が発射されると、発射された遊技球が検出スイッチ（図示せず）により検出され、その都度、得点表示部３７に表示された得点が１点ずつ減算される。
【００３６】
また、遊技盤１３のレール２１，２２と発射装置５０の発射レール５２との間には隙間が形成されており、その隙間の下方（図３下側）には、発射装置５０により発射されたものの、発射力が弱く遊技領域まで到達せずに発射装置５０側に戻ってきた遊技球（以下、「ファール球」と称す。）を回収すると共に、回収したファール球を前面枠１４へ案内するためのファール球回収盤４３が取り付けられている。このファール球回収盤４３には、上方（図３上側）が開放されると共に前方（図３紙面表側）が開放された開放口４３ｂを有する回収通路４３ａが形成されている。
【００３７】
従って、ファール球は、ファール球回収盤４３の回収通路４３ａを通じて開放口４３ｂから前面枠１４へ案内される。また、上述したように、案内盤４２の案内通路４２ａは、ファール球回収盤４３の回収通路４３ａに連通されているので、案内盤４２の案内通路４２ａを通じて内枠１２の前面へ案内された入賞球およびアウト球も同様に、ファール球回収盤４３の回収通路４３ａ通じて開放口４３ｂから前面枠１４へ案内される。
【００３８】
図４に示すように、前面枠１４の裏面には下部ユニット１５が取り付けられている。この下部ユニット１５の前面には、上皿１６及び搬送装置１００が配設されている。下部ユニット１５が前面枠１４に取り付けられた状態では、上述したように、前面枠１４に形成された張出部３８の内部に上皿１６及び搬送装置１００が配置される。
【００３９】
下部ユニット１５には、前面枠１４を内枠１２に対して閉鎖した状態においてファール球回収盤４３の開放口４３ｂ（図３参照）に連通される連通口１５ａが開口形成されている。従って、ファール球回収盤４３の回収通路４３ａを通じて開放口４３ｂから前面枠１４へ案内された遊技球（入賞球、アウト球およびファール球）は、連通口１５ａから前面枠１４の内部へ案内される。
【００４０】
本実施の形態において、上皿１６は、一般的なパチンコ機の上皿とは異なり、遊技球を貯留するためのものではなく、単に、遊技球を発射装置５０（図３参照）へ案内するためのものである。この上皿１６には、遊技球の通路となる供給通路１６ａが遊技球の直径と同等の幅で形成されている。よって、遊技球を供給通路１６ａにおいて一列に整列させることができるので、遊技球を整流するための整流部を設ける必要がなく、かかる整流部において生じ易い球詰まりの抑制を図ることができる。
【００４１】
また、上皿１６の底面には、搬送装置１００が挿通される挿通口１６ｂが開口形成されている。上皿１６及び搬送装置１００が下部ユニット１５に配設された状態では、上皿１６の挿通口１６ｂに搬送装置１００が挿通されると共に、後述する搬送装置１００の排出口１１０ｂが上皿１６の底面よりも上方へ突出した状態に配置される。また、上皿１６の上面には、遊技球が遊技者に触れられることを防止するためのカバー１９が配設されている。
【００４２】
搬送装置１００は、下部ユニット１５の連通口１５ａから前面枠１４の内部へ案内された遊技球（入賞球、アウト球およびファール球）を上皿１６へ搬送（揚送）するためのものであり、この搬送装置１００により搬送された遊技球は、上皿１６を介して発射装置５０へ案内される。これにより、パチンコ機１０内に封入された遊技球をパチンコ機１０内で循環させて遊技に使用することが可能となる。
【００４３】
搬送装置１００の下部には、取込口１１０ａが開口形成されている。取込口１１０ａは、搬送装置１００への遊技球の入口をなすものであり、下部ユニット１５の連通口１５ａから前面枠１４の内部へ案内された遊技球（入賞球、アウト球およびファール球）は、まず、取込口１１０ａへ案内され、その後、取込口１１０ａから搬送装置１００の内部に取り込まれる。取込口１１０ａの間口は、遊技球の２球分に相当し、遊技球を２列（複列幅）で取り込むことができるように構成されている。
【００４４】
一方、搬送装置１００の上部には、排出口１１０ｂが開口形成されている。排出口１１０ｂは、搬送装置１００からの遊技球の出口をなすものであり、搬送装置１００に取り込まれた遊技球（入賞球、アウト球およびファール球）は、排出口１１０ｂから上皿１６へ排出される。
【００４５】
次いで、図５を参照して、本発明の主要部である搬送装置１００の詳細構成について説明する。図５は、搬送装置１００の分解斜視図である。なお、図５の矢印Ｕ−Ｄ，Ｌ−Ｒ，Ｆ−Ｂは、搬送装置１００の上下方向、左右方向、前後方向をそれぞれ示している。
【００４６】
図５に示すように、搬送装置１００は、筐体１１０と、その筐体１１０の内部に収容される回転体１２０と、筐体１１０の側面（矢印Ｌ方向側の面）に取着盤１１５を介して配設される駆動モータ１３０とを備えている。
【００４７】
筐体１１０は、搬送装置１００の外殻を形成するものであり、合成樹脂成型品からなる表裏一体のハウジング部材１１１ａ，１１１ｂと、それらハウジング部材１１１ａ，１１１ｂの前方（矢印Ｆ方向）に挟持される通路形成部材１１２とを備え、両ハウジング部材１１１ａ，１１１ｂがネジ等（図示せず）により結合されることで、箱状に構成されている。この筐体１１０の内部には、遊技球を搬送する通路となる搬送通路Ｗが形成されている。なお、搬送通路Ｗの形状については、図１０を参照して後述する。
【００４８】
回転体１２０は、搬送通路Ｗを通じて遊技球を１個ずつ搬送するためのものであり、上述した取込口１１０ａに臨んで配設される駆動体１２１と、その駆動体１２１の上方（矢印Ｕ方向）に配設される第１従動体１２２と、その第１従動体１２２の上方に配設される第２従動体１２３と、その第２従動体１２３の上方に配設される第３従動体１２４と、その第３従動体１２４の上方に配設される第４従動体１２５との合計５つの部材を備えて構成されている。これら各部材１２１〜１２５は、それぞれ筐体１１０（ハウジング部材１１１ａ，１１１ｂ）に回転可能に軸支され、それぞれの回転軸が平行となるように配置されている。なお、各部材１２１〜１２５の形状については、図６から図８を参照して後述すると共に、各部材１２１〜１２５の配置については、図９を参照して後述する。
【００４９】
駆動モータ１３０は、駆動体１２１に駆動力を付与して回転駆動するものである。この駆動モータ１３０の駆動力は、回転子１３０ａに出力され、その結果、回転子１３０ａに取着された駆動体１２１が回転する。なお、駆動モータ１３０は、パチンコ機１０の電源が投入されている間、駆動体１２１に駆動力を常に付与することで、常時、駆動体１２１が回転するように構成されている。
【００５０】
次いで、図６を参照して、駆動体１２１の形状について説明する。図６（ａ）は、駆動体１２１の斜視図であり、図６（ｂ）は、回転軸Ｃ０方向視における駆動体１２１の正面図である。なお、図６（ｂ）中の矢印Ｒ０は、駆動体１２１の回転方向を示している。
【００５１】
図６に示すように、駆動体１２１は、軸心を有する円柱軸状の軸部１２１ａと、その軸部１２１ａの径方向（軸部１２１ａの軸心と直交する方向）へ向けて張り出して形成される一対の羽根部１２１ｂ，１２１ｃとを備えている。この駆動体１２１は、軸部１２１ａが筐体１１０（ハウジング部材１１１ａ，１１１ｂ）に回転可能に軸支され（図５参照）、軸部１２１ａの軸心を回転軸Ｃ０として回転する。
【００５２】
図６（ｂ）に示すように、軸部１２１ａには、円形の一部を平面で切り欠いた断面形状の軸孔１２１ａ１が軸心に沿って穿設されている。一方、駆動モータ１３０の回転子１３０ａ（図５参照）は、軸部１２１ａの軸孔１２１ａ１の断面形状に対応した外形形状に形成されており、軸部１２１ａの軸孔１２１ａ１と駆動モータ１３０の回転子１３０ａとが係合することで、駆動モータ１３０の駆動力が駆動体１２１に付与される。
【００５３】
一対の羽根部１２１ｂ，１２１ｃは、軸部１２１ａの軸心方向に対向して配置されている。これら一対の羽根部１２１ｂ，１２１ｃは、同一の外周面形状に形成され、その外周面には、それぞれ遊技球を１個ずつ受け入れる３つの凹部１２１ｂ１，１２１ｃ１が凹設されると共に、外周面で遊技球を受け支える３つの凸部１２１ｂ２，１２１ｃ２が設けられている。これら凹部１２１ｂ１，１２１ｃ１及び凸部１２１ｂ２，１２１ｃ２は、矢印Ｒ０方向に沿って交互に設けられ、それぞれ１２０度の中心角を隔てて等間隔に配置されている。遊技球の搬送は、遊技球を凹部１２１ｂ１，１２１ｃ１に受け入れつつ駆動体１２１が回転することで行われる。
【００５４】
また、一対の羽根部１２１ｂ，１２１ｃは、回転軸Ｃ０方向視において羽根部１２１ｂの凹部１２１ｂ１が羽根部１２１ｃの凸部１２１ｃ２に対応する位置に配置されると共に、羽根部１２１ｃの凹部１２１ｃ１が羽根部１２１ｂの凸部１２１ｂ２に対応する位置に配置されている。即ち、一対の羽根部１２１ｂ，１２１ｃが互いに矢印Ｒ０方向へ６０度ずれた状態に配置されている。
【００５５】
更に、一対の羽根部１２１ｂ，１２１ｃは、回転軸Ｃ０方向視において羽根部１２１ｂの凸部１２１ｂ２がその凸部１２１ｂ２に対応する位置に配置される（回転軸Ｃ０方向に対向する）羽根部１２１ｃの凹部１２１ｃ１を覆うと共に羽根部１２１ｃの凸部１２１ｃ２がその凸部１２１ｃ２に対応する位置に配置される（回転軸Ｃ０方向に対向する）羽根部１２１ｂの凹部１２１ｂ１を覆う形状に形成され、羽根部１２１ｂの凹部１２１ｂ１と羽根部１２１ｃの凹部１２１ｃ１とが矢印Ｒ０方向に沿って連続して配置されている。
【００５６】
図６（ｂ）に示すように、凹部１２１ｂ１，１２１ｃ１は、所定サイズ（例えば直径１１ｍｍ）の遊技球（図６（ｂ）の二点差線）を受け入れられるように、回転軸Ｃ０方向視において軸部１２１ａの軸心方向へ向けて凹となる円弧状に形成されると共に、その深さが遊技球の半径よりも深く、且つその開口側（羽根部１２１ｂ，１２１ｃの外周側）の幅が底側（軸部１２１ａの軸心側）の幅よりも幅広に形成されている。
【００５７】
次いで、図７を参照して、第１従動体１２２の形状について説明する。なお、第１従動体１２２と第３従動体１２４とは同一形状であるので、ここでは、第１従動体１２２を例に説明し、第３従動体１２４については、その説明を省略する。図７（ａ）は、第１従動体１２２の斜視図であり、図７（ｂ）は、回転軸Ｃ１方向視における第１従動体１２２の正面図である。なお、図７（ｂ）中の矢印Ｒ１は、第１従動体１２２の回転方向を示している。
【００５８】
図７に示すように、第１従動体１２２は、軸心を有する円柱軸状の軸部１２２ａと、その軸部１２２ａの径方向（軸部１２２ａの軸心と直交する方向）へ向けて張り出して形成される羽根部１２２ｂとを備えている。この第１従動体１２２は、軸部１２２ａが筐体１１０（ハウジング部材１１１ａ，１１１ｂ）に回転可能に軸支され（図５参照）、軸部１２２ａの軸心を回転軸Ｃ１として回転する。
【００５９】
羽根部１２２ｂの外周面には、遊技球を１個ずつ受け入れる６つの凹部１２２ｂ１が凹設されている。この凹部１２２ｂ１は、矢印Ｒ１方向に沿って一列で形成され、それぞれ６０度の中心角を隔てて等間隔に配置されている。ここで、本実施の形態では、各凹部１２２ｂ１の中心が直線上に位置するように凹部１２２ｂ１が一列で形成されるが、各凹部１２２ｂ１の中心が直線上に位置する場合に限られるものではない。遊技球の搬送は、遊技球を凹部１２２ｂ１に受け入れつつ第１従動体１２２が回転することで行われる。
【００６０】
図７（ｂ）に示すように、凹部１２２ｂ１は、所定サイズ（例えば直径１１ｍｍ）の遊技球（図７（ｂ）の二点差線）を受け入れられるように、回転軸Ｃ１方向視において軸部１２２ａの軸心方向へ向けて凹となる円弧状に形成されると共に、その深さが遊技球の半径よりも深く、且つその開口側（羽根部１２２ｂの外周側）の幅が底側（軸部１２２ａの軸心側）の幅よりも幅広に形成されている。
【００６１】
次いで、図８を参照して、第２従動体１２３の形状について説明する。なお、第２従動体１２３と第４従動体１２５とは同一形状であるので、ここでは、第２従動体１２３を例に説明し、第４従動体１２５については、その説明を省略する。図８（ａ）は、第２従動体１２３の斜視図であり、図８（ｂ）は、回転軸Ｃ２方向視における第２従動体１２３の正面図である。なお、図８（ｂ）中の矢印Ｒ２は、第２従動体１２３の回転方向を示している。
【００６２】
図８に示すように、第２従動体１２３は、軸心を有する円柱軸状の軸部１２３ａと、その軸部１２３ａの径方向（軸部１２３ａの軸心と直交する方向）へ向けて張り出して形成される一対の羽根部１２３ｂ，１２３ｃとを備えている。この第２従動体１２３は、軸部１２３ａが筐体１１０（ハウジング部材１１１ａ，１１１ｂ）に回転可能に軸支され（図５参照）、軸部１２３ａの軸心を回転軸Ｃ２として回転する。
【００６３】
一対の羽根部１２３ｂ，１２３ｃは、軸部１２３ａの軸心方向に対向して配置されている。これら一対の羽根部１２３ｂ，１２３ｃは、同一の外周面形状に形成され、その外周面には、それぞれ遊技球を１個ずつ受け入れる６つの凹部１２３ｂ１，１２３ｃ１が凹設されている。これら凹部１２３ｂ１，１２３ｃ１は、矢印Ｒ２方向に沿って一列で形成され、それぞれ６０度の中心角を隔てて等間隔に配置されている。ここで、本実施の形態では、各凹部１２３ｂ１，１２３ｃ１の中心が直線上に位置するように凹部１２３ｂ１，１２３ｃ１が一列で形成されるが、各凹部１２３ｂ１，１２３ｃ１の中心が直線上に位置する場合に限られるものではない。遊技球の搬送は、遊技球を凹部１２３ｂ１，１２３ｃ１に受け入れつつ第２従動体１２３が回転することで行われる。
【００６４】
また、一対の羽根部１２３ｂ，１２３ｃは、回転軸Ｃ２方向視において羽根部１２３ｂの凹部１２３ｂ１と羽根部１２３ｃの凹部１２３ｃ１との位置が一致するように配置されている。
【００６５】
図８（ｂ）に示すように、凹部１２３ｂ１，１２３ｃ１は、所定サイズ（例えば直径１１ｍｍ）の遊技球（図８（ｂ）の二点差線）を受け入れられるように、回転軸Ｃ２方向視において軸部１２３ａの軸心方向へ向けて凹となる円弧状に形成されると共に、その深さが遊技球の半径よりも深く、且つその開口側（羽根部１２３ｂ，１２３ｃの外周側）の幅が底側（軸部１２３ａの軸心側）の幅よりも幅広に形成されている。
【００６６】
次いで、図９を参照して、回転体１２０の各部材１２１〜１２５の配置について説明する。図９は、図５の矢印Ａ方向視における搬送装置１００の内部構造を示す構造図である。なお、図９の矢印Ｕ−Ｄ，Ｌ−Ｒ，Ｆ−Ｂは、搬送装置１００の上下方向、左右方向、前後方向をそれぞれ示している。
【００６７】
図９に示すように、駆動体１２１と第１従動体１２２とは、第１従動体１２２の羽根部１２２ｂが駆動体１２１の一対の羽根部１２１ｂ，１２１ｃの対向間に介挿され、駆動体１２１の凹部１２１ｂ１，１２１ｃ１の回転軌跡と第１従動体１２２の凹部１２２ｂ１の回転軌跡とが重なり合うような相対位置で配置されると共に、駆動体１２１の凹部１２１ｂ１，１２１ｃ１と第１従動体１２２の凹部１２２ｂ１とが対向した状態で、それら駆動体１２１の凹部１２１ｂ１，１２１ｃ１と第１従動体１２２の凹部１２２ｂ１との間に遊技球を受け入れる隙間が形成されるような相対位置で配置されている。
【００６８】
また、第１従動体１２２と第２従動体１２３とは、第１従動体１２２の羽根部１２２ｂが第２従動体１２３の一対の羽根部１２３ｂ，１２３ｃの対向間に介挿され、第１従動体１２２の凹部１２２ｂ１の回転軌跡と第２従動体１２３の凹部１２３ｂ１，１２３ｃ１の回転軌跡とが重なり合うような相対位置で配置されると共に、第１従動体１２２の凹部１２２ｂ１と第２従動体１２３の凹部１２３ｂ１，１２３ｃ１とが対向した状態で、それら第１従動体１２２の凹部１２２ｂ１と第２従動体１２３の凹部１２３ｂ１，１２３ｃ１との間に遊技球を受け入れる隙間が形成されるような相対位置で配置されている。
【００６９】
同様に、第２従動体１２３と第３従動体１２４とは、第３従動体１２４の羽根部１２４ｂが第２従動体１２３の一対の羽根部１２３ｂ，１２３ｃの対向間に介挿され、第２従動体１２３の凹部１２３ｂ１，１２３ｃ１の回転軌跡と第３従動体１２４の凹部１２４ｂ１の回転軌跡とが重なり合うような相対位置で配置されると共に、第２従動体１２３の凹部１２３ｂ１，１２３ｃ１と第３従動体１２４の凹部１２４ｂ１とが対向した状態で、それら第２従動体１２３の凹部１２３ｂ１，１２３ｃ１と第３従動体１２４の凹部１２４ｂ１との間に遊技球を受け入れる隙間が形成されるような相対位置で配置されている。
【００７０】
同様に、第３従動体１２４と第４従動体１２５とは、第３従動体１２４の羽根部１２４ｂが第４従動体１２５の一対の羽根部１２５ｂ，１２５ｃの対向間に介挿され、第３従動体１２４の凹部１２４ｂ１の回転軌跡と第４従動体１２５の凹部１２５ｂ１，１２５ｃ１の回転軌跡とが重なり合うような相対位置で配置されると共に、第３従動体１２４の凹部１２４ｂ１と第４従動体１２５の凹部１２５ｂ１，１２５ｃ１とが対向した状態で、それら第３従動体１２４の凹部１２４ｂ１と第４従動体１２５の凹部１２５ｂ１，１２５ｃ１との間に遊技球を受け入れる隙間が形成されるような相対位置で配置されている。
【００７１】
また、図９に示すように、第１〜第４従動体１２２〜１２５は、鉛直線上に直列に配置される一方、駆動体１２１は、第１〜第４従動体１２２〜１２５に対して後方（矢印Ｂ方向）へずれて配置されている。
【００７２】
次いで、図１０を参照して、筐体１１０の内部に形成される搬送通路Ｗの形状について説明する。図１０は、図５の矢印Ａ方向視における搬送装置１００の内部構造を示す構造図である。なお、図１０では、図面の理解を容易とするために、回転体１２０の各部材１２１〜１２５を透視して示している。また、図１０の矢印Ｕ−Ｄ，Ｌ−Ｒ，Ｆ−Ｂは、搬送装置１００の上下方向、左右方向、前後方向をそれぞれ示している。
【００７３】
図１０に示すように、搬送通路Ｗは、通路形成部材１１２に形成された第１案内壁１３１及び第３案内壁１３３と、ハウジング部材１１１ａ，１１１ｂにそれぞれ形成された第２案内壁１３２及び第４案内壁１３４との合計４つの案内壁により構成されている。
【００７４】
第１案内壁１３１は、第１従動体１２２の外周面に対向して配設され、第１従動体１２２の回転軸Ｃ１に平行であって回転軸Ｃ１を中心とする円弧状の面を形成している。また、その下端が駆動体１２１の一対の羽根部１２１ｂ，１２１ｃの対向間に介挿され、駆動体１２１の凹部１２１ｂ１，１２１ｃ１の回転軌跡に交差すると共に凹部１２１ｂ１，１２１ｃ１の最底部における回転軌跡に達するまで延設されている。一方、上端が第２従動体１２３の一対の羽根部１２３ｂ，１２３ｃの対向間に介挿され、第２従動体１２３の凹部１２３ｂ１，１２３ｃ１の回転軌跡に交差すると共に凹部１２３ｂ１，１２３ｃ１の最底部における回転軌跡に達するまで延設されている。
【００７５】
第２案内壁１３２は、第２従動体１２３の外周面に対向して配設され、第２従動体１２３の回転軸Ｃ２に平行であって回転軸Ｃ２を中心とする円弧状の面を形成している。また、その下端が第１従動体１２２の凹部１２２ｂ１の回転軌跡に交差すると共に凹部１２２ｂ１の最低部における回転軌跡に達するまで延設されている。一方、上端が第３従動体１２４の凹部１２４ｂ１の回転軌跡に交差すると共に凹部１２４ｂ１の最低部における回転軌跡に達するまで延設されている。この第２案内壁１３２は、上述したように、ハウジング部材１１１ａ，１１１ｂにそれぞれ形成されているので、第１従動体１２２を挟んで一対が配設されると共に、第３従動体１２４を挟んで一対が配設されている。
【００７６】
同様に、第３案内壁１３３は、第３従動体１２４の外周面に対向して配設され、第３従動体１２４の回転軸Ｃ３に平行であって回転軸Ｃ３を中心とする円弧状の面を形成している。また、その下端が第２従動体１２３の一対の羽根部１２３ｂ，１２３ｃの対向間に介挿され、第２従動体１２３の凹部１２３ｂ１，１２３ｃ１の回転軌跡に交差すると共に凹部１２３ｂ１，１２３ｃ１の最底部における回転軌跡に達するまで延設されている。一方、上端が第４従動体１２５の一対の羽根部１２５ｂ，１２５ｃの対向間に介挿され、第４従動体１２５の凹部１２５ｂ１，１２５ｃ１の回転軌跡に交差すると共に凹部１２５ｂ１，１２５ｃ１の最底部における回転軌跡に達するまで延設されている。
【００７７】
同様に、第４案内壁１３４は、第４従動体１２５の外周面に対向して配設され、第４従動体１２５の回転軸Ｃ４に平行であって回転軸Ｃ４を中心とする円弧状の面を形成している。また、その下端が第３従動体１２４の凹部１２４ｂ１の回転軌跡に交差すると共に凹部１２４ｂ１の最低部における回転軌跡に達するまで延設されている。一方、上端が排出口１１０ｂに連設されている。この第４案内壁１３４は、上述したように、ハウジング部材１１１ａ，１１１ｂにそれぞれ形成されているので、第３従動体１２４を挟んで一対が配設されている。
【００７８】
これにより、各案内壁１３１〜１３４と第１〜第４従動体１２２〜１２５の外周面との間に搬送通路Ｗが略Ｓ字状に湾曲して形成される。遊技球の搬送は、遊技球を各案内壁１３１〜１３４に沿って行われる。
【００７９】
次いで、図１１から図２０を参照して、搬送装置１００による遊技球の搬送動作について説明する。図１１から図２０は、図５の矢印Ａ方向視における搬送装置１００の内部構造を示す構造図である。また、図１１から図２０の矢印Ｒ０，Ｒ１，Ｒ２，Ｒ３，Ｒ４は、駆動体１２１の回転方向、第１従動体１２２の回転方向、第２従動体１２３の回転方向、第３従動体１２４の回転方向、第４従動体１２５の回転方向を、それぞれ示している。
【００８０】
まず、図１１に示すように、駆動体１２１を駆動モータ１３０により回転駆動して、駆動体１２１が矢印Ｒ０方向へ回転すると、駆動体１２１の凹部１２１ｂ１（又は凹部１２１ｃ１）が取込口１１０ａに臨み、取込口１１０ａに取り込まれた遊技球が凹部１２１ｂ１（又は凹部１２１ｃ１）に受け入れられる。
【００８１】
ここで、本実施の形態では、上述したように、駆動体１２１は、凹部１２１ｂ１が凸部１２１ｃ２に対応する位置に配置されると共に凹部１２１ｃ１が凸部１２１ｃ２に対応する位置に配置されているので、凹部１２１ｂ１（又は凹部１２１ｃ１）が取込口１１０ａに臨む場合には、その凹部１２１ｂ１（又は凹部１２１ｃ１）に対応する位置に配置される（回転軸Ｃ０方向に対向する）凸部１２１ｃ２（又は凸部１２１ｂ２）が取込口１１０ａに臨み、取込口１１０ａに取り込まれた遊技球を凹部１２１ｂ１と凹部１２１ｃ１とにより交互に受け入れることができる。よって、回収通路の通路幅を狭める必要がなく、遊技球を搬送装置１００にスムーズに取り込むことができる。
【００８２】
また、上述したように、駆動体１２１は、凸部１２１ｂ２がその凸部１２１ｂ２に対応する位置に配置される（回転軸Ｃ０方向に対向する）凹部１２１ｃ１を覆うと共に凸部１２１ｃ２がその凸部１２１ｃ２に対応する位置に配置される（回転軸Ｃ０方向に対向する）凹部１２１ｂ１を覆う形状に形成されているので、凹部１２１ｂ１（又は凹部１２１ｃ１）に遊技球を受け入れる際に、その凹部１２１ｂ１（又は凹部１２１ｃ１）へ遊技球を凸部１２１ｃ２（又は凸部１２１ｂ２）により誘導することができ、凹部１２１ｂ１，１２１ｃ１に遊技球を円滑に受け入れることができる。
【００８３】
また、上述したように、駆動体１２１は、凹部１２１ｂ１と凹部１２１ｃ１とが回転方向Ｒ０に沿って連続して配置されているので、駆動体１２１の回転位置がどの位置であろうと、凹部１２１ｂ１又は凹部１２１ｃ１のいずれかに遊技球を受け入れることができる。その結果、遊技球を凹部１２１ｂ１，１２１ｃ１に効率良く受け入れて、球詰まりの抑制を図ることができる。
【００８４】
また、上述したように、凹部１２１ｂ１，１２１ｃ１は、軸部１２１ａの軸心方向へ向けて凹となる円弧状に形成されているので、かかる凹部１２１ｂ１，１２１ｃ１に受け入れた遊技球の勢いを放射状に分散して減じることができ、凹部１２１ｂ１，１２１ｃ１による球はじきを防止することができる。その結果、凹部１２１ｂ１，１２１ｃ１に遊技球を円滑に受け入れて、球詰まりの抑制を図ることができる。
【００８５】
次いで、図１１の状態から、駆動体１２１が更に矢印Ｒ０方向へ回転すると、駆動体１２１により遊技球が搬送され、図１２に示すように、駆動体１２１の凹部１２１ｂ１（又は凹部１２１ｃ１）と第１従動体１２２の凹部１２２ｂ１とが対向して、それら駆動体１２１の凹部１２１ｂ１（又は凹部１２１ｃ１）と第１従動体１２２の凹部１２２ｂ１との間に遊技球が受け入れられる。
【００８６】
次いで、図１２の状態から、駆動体１２１が更に矢印Ｒ０方向へ回転すると、図１３に示すように、駆動体１２１の凹部１２１ｂ１と第１従動体１２２の凹部１２２ｂ１との間に受け入れられた遊技球を媒体として駆動体１２１の回転力が第１従動体１２２に伝達され、第１従動体１２２が駆動体１２１の回転に従動され矢印Ｒ１方向へ回転する。これにより、遊技球が駆動体１２１の凹部１２１ｂ１（又は１２１ｃ１）から送り出され第１従動体１２２へ受け渡される。
【００８７】
ここで、本実施の形態では、上述したように、駆動体１２１は、凹部１２１ｂ１が凸部１２１ｃ２に対応する位置に配置されると共に凹部１２１ｃ１が凸部１２１ｂ２に対応する位置に配置されているので、凹部１２１ｂ１（又は凹部１２１ｃ１）が第１従動体１２２の凹部１２２ｂ１に対向する場合には、その凹部１２１ｂ１（又は凹部１２１ｃ１）に対応する位置に配置される（回転軸Ｃ０方向に対向する）凸部１２１ｃ２（又は凸部１２１ｂ２）が第１従動体１２２の凹部１２２ｂ１に対向し、凹部１２１ｂ１，１２１ｃ１に受け入れた遊技球を凹部１２１ｂ１と凹部１２１ｃ１とから交互に第１従動体１２２の凹部１２２ｂ１へ１個ずつ受け渡すことができる。これにより、第１従動体１２２の外周面に一列で凹設された凹部１２２ｂ１に遊技球を１個ずつ受け入れて一列に整列させることができる。
【００８８】
従って、駆動体１２１を駆動モータ１３０により回転駆動して、取込口１１０ａに２列（複列幅）で取り込まれた遊技球を強制的に一列に整列させる構成であるので、遊技球を複列幅で回収し、整流部において遊技球の自然流下を利用して一列に整列させる場合と比較して、遊技球を整流しつつも球詰まりを抑制することができる。
【００８９】
また、上述したように、駆動体１２１は、凹部１２１ｂ１，１２１ｃ１の深さが遊技球の半径よりも深く形成されているので、凹部１２１ｂ１，１２１ｃ１への遊技球の掛かり量を大きく確保することができる。
【００９０】
また、上述したように、第１案内壁１３１は、駆動体１２１の一対の羽根部１２１ｂ，１２１ｃの対向間に介挿され、駆動体１２１の凹部１２１ｂ１，１２１ｃ１の回転軌跡に交差すると共に凹部１２１ｂ１，１２１ｃ１の最底部における回転軌跡に達するまで延設されているので、駆動体１２１が回転して遊技球を凹部１２１ｂ１，１２１ｃ１から送り出す際に、凹部１２１ｂ１，１２１ｃ１と第１案内壁１３１との間に遊技球を挟み込んで送り出すと共に、第１案内壁１３１に沿って遊技球を押し続けることができる。
【００９１】
また、上述したように、凹部１２１ｂ１，１２１ｃ１は、開口側（羽根部１２１ｂ，１２１ｃの外周側）の幅が底側（軸部１２１ａの軸心側）の幅よりも幅広に形成されているので、凹部１２１ｂ１，１２１ｃ１と第１案内壁１３１との間に遊技球を挟み込んで送り出す構成であっても、遊技球を凹部１２１ｂ１，１２１ｃ１から円滑に送り出すことができる。よって、凹部１２１ｂ１，１２１ｃ１への遊技球の掛かり量を大きく確保できると共に、駆動体１２１が回転して遊技球を凹部１２１ｂ１，１２１ｃ１から送り出す際に、凹部１２１ｂ１，１２１ｃ１と第１案内壁１３１との間に遊技球を挟み込みつつ円滑に送り出すことができ、且つ、第１案内壁１３１に沿って遊技球を押し続けることができるので、駆動体１２１の回転力、即ち、搬送力を遊技球に十分に付与することができる。また、凹部１２１ｂ１，１２１ｃ１の開口側の幅が底側の幅よりも幅広に形成され、遊技球を凹部１２１ｂ１，１２１ｃ１から円滑に送り出すことができるので、凹部１２１ｂ１，１２１ｃ１と第１案内壁１３１との間の遊技球の噛み込みを防止することができる。
【００９２】
また、上述したように、駆動体１２１と第１従動体１２２とは、第１従動体１２２の羽根部１２２ｂが駆動体１２１の一対の羽根部１２１ｂ，１２１ｃの対向間に介挿され、駆動体１２１の凹部１２１ｂ１，１２１ｃ１の回転軌跡と第１従動体１２２の凹部１２２ｂ１の回転軌跡とが重なり合うような相対位置で配置されているので、駆動体１２１の凹部１２１ｂ１，１２１ｃ１及び第１従動体１２２の凹部１２２ｂ１への遊技球の掛かり量をいずれも大きく確保することができる。よって、駆動体１２１が回転して第１従動体１２２へ遊技球を受け渡す際に、駆動体１２１の回転力、即ち、搬送力を遊技球に十分に付与することができると共に、遊技球に付与された搬送力を第１従動体１２２に十分に伝達することができる。
【００９３】
また、上述したように、第１従動体１２２の羽根部１２２ｂが駆動体１２１の一対の羽根部１２１ｂ，１２１ｃの対向間に介挿されているので、駆動体１２１から第１従動体１２２へ遊技球を受け渡す際に、駆動体１２１の凹部１２１ｂ１，１２１ｃ１と第１従動体１２２の凹部１２２ｂ１との間で遊技球を安定して保持することができる。その結果、搬送力を遊技球に確実に付与することができると共に、遊技球に付与された搬送力を第１従動体１２２に確実に伝達することができる。
【００９４】
このように、第１従動体１２２による遊技球の搬送は、図１１から図１３の動作が繰り返されることで行われる。よって、駆動体１２１の凹部１２１ｂ１（又は凹部１２１ｃ１）と第１従動体１２２の凹部１２２ｂ１との間に遊技球が存在しなければ、第１従動体１２２は回転しないので、遊技球の搬送を行わず、搬送装置１００内に遊技球を貯留することができる。
【００９５】
また、駆動体１２１の凹部１２１ｂ１，１２１ｃ１と第１従動体１２２の凹部１２２ｂ１との間に受け入れられた遊技球を媒体として駆動体１２１の回転力が第１従動体１２２に伝達され、第１従動体１２２が駆動体１２１の回転に従動され回転するように構成されているので、駆動体１２１の回転と第１従動体１２２の回転とを同期させる必要がなく、それら回転のずれの問題を解消して、駆動体１２１と第１従動体１２２との間に遊技球を噛み込み難くすることができる。その結果、駆動体１２１から第１従動体１２２へ遊技球を円滑に受け渡して、球詰まりの抑制を図ることができる。
【００９６】
次いで、図１３の状態から、第１従動体１２２が更に矢印Ｒ１方向へ回転すると、第１従動体１２１により遊技球が搬送され、図１４に示すように、第１従動体１２２の凹部１２２ｂ１と第２従動体１２３の凹部１２３ｂ１，１２３ｃ１とが対向して、それら第１従動体１２２の凹部１２２ｂ１と第２従動体１２３の凹部１２３ｂ１，１２３ｃ１との間に遊技球が受け入れられる。
【００９７】
次いで、図１４の状態から、第１従動体１２２が更に矢印Ｒ１方向へ回転すると、図１５に示すように、第１従動体１２２の凹部１２２ｂ１と第２従動体１２３の凹部１２３ｂ１，１２３ｃ１との間に受け入れられた遊技球を媒体として第１従動体１２２の回転力が第２従動体１２３に伝達され、第２従動体１２３が第１従動体１２２の回転に従動され矢印Ｒ２方向へ回転する。これにより、遊技球が第１従動体１２２の凹部１２２ｂ１から送り出され第２従動体１２３へ受け渡される。
【００９８】
ここで、本実施の形態では、上述したように、第１従動体１２２は、凹部１２２ｂ１の深さが遊技球の半径よりも深く形成されているので、凹部１２２ｂ１への遊技球の掛かり量を大きく確保することができる。
【００９９】
また、上述したように、第２案内壁１３２は、第１従動体１２２を挟んで一対配設され、第１従動体１２２の凹部１２２ｂ１の回転軌跡に交差すると共に凹部１２２ｂ１の最底部における回転軌跡に達するまで延設されているので、第１従動体１２２が回転して遊技球を凹部１２２ｂ１から送り出す際に、凹部１２２ｂ１と第２案内壁１３２との間に遊技球を挟み込んで送り出すと共に、第２案内壁１３２に沿って遊技球を押し続けることができる。
【０１００】
また、上述したように、凹部１２２ｂ１は、開口側（羽根部１２２ｂの外周側）の幅が底側（軸部１２２ａの軸心側）の幅よりも幅広に形成されているので、凹部１２２ｂ１と第２案内壁１３２との間に遊技球を挟み込んで送り出す構成であっても、遊技球を凹部１２２ｂ１から円滑に送り出すことができる。よって、凹部１２２ｂ１への遊技球の掛かり量を大きく確保できると共に、第１従動体１２２が回転して遊技球を凹部１２２ｂ１から送り出す際に、凹部１２２ｂ１と第２案内壁１３２との間に遊技球を挟み込みつつ円滑に送り出すことができ、且つ、第２案内壁１３２に沿って遊技球を押し続けることができるので、第１従動体１２２の回転力、即ち、搬送力を遊技球に十分に付与することができる。また、凹部１２２ｂ１の開口側の幅が底側の幅よりも幅広に形成され、遊技球を凹部１２２ｂ１から円滑に送り出すことができるので、凹部１２２ｂ１と第２案内壁１３２との間の遊技球の噛み込みを防止することができる。
【０１０１】
また、上述したように、第１従動体１２２と第２従動体１２３とは、第１従動体１２２の羽根部１２２ｂが第２従動体１２３の一対の羽根部１２３ｂ，１２３ｃの対向間に介挿され、第１従動体１２２の凹部１２２ｂ１の回転軌跡と第２従動体１２３の凹部１２３ｂ１，１２３ｃ１の回転軌跡とが重なり合うような相対位置で配置されているので、第１従動体１２２の凹部１２２ｂ１及び第２従動体１２３の凹部１２３ｂ１，１２３ｃ１への遊技球の掛かり量をいずれも大きく確保することができる。よって、第１従動体１２２が回転して第２従動体１２３へ遊技球を受け渡す際に、第１従動体１２２の回転力、即ち、搬送力を遊技球に十分に付与することができると共に、遊技球に付与された搬送力を第２従動体１２３に十分に伝達することができる。
【０１０２】
また、上述したように、第１従動体１２２の羽根部１２２ｂが第２従動体１２３の一対の羽根部１２３ｂ，１２３ｃの対向間に介挿されているので、第１従動体１２２から第２従動体１２３へ遊技球を受け渡す際に、第１従動体１２２の凹部１２２ｂ１と第２従動体１２３の凹部１２３ｂ１，１２３ｃ１との間で遊技球を安定して保持することができる。その結果、搬送力を遊技球に確実に付与することができると共に、遊技球に付与された搬送力を第２従動体１２３に確実に伝達することができる。
【０１０３】
このように、第２従動体１２３による遊技球の搬送は、図１４及び図１５の動作が繰り返されることで行われる。よって、第１従動体１２２の凹部１２２ｂ１と第２従動体１２３の凹部１２３ｂ１，１２３ｃ１との間に遊技球が存在しなければ、第２従動体１２３は回転しないので、遊技球の搬送を行わず、搬送装置１００内に遊技球を貯留することができる。
【０１０４】
次いで、図１５の状態から、第２従動体１２３が更に矢印Ｒ２方向へ回転すると、第２従動体１２３により遊技球が搬送され、図１６に示すように、第２従動体１２３の凹部１２３ｂ１，１２３ｃ１と第３従動体１２４の凹部１２４ｂ１とが対向して、それら第２従動体１２３の凹部１２３ｂ１，１２３ｃ１と第３従動体１２４の凹部１２４ｂ１との間に遊技球が受け入れられる。
【０１０５】
次いで、図１６の状態から、第２従動体１２３が更に矢印Ｒ２方向へ回転すると、図１７に示すように、第２従動体１２３の凹部１２３ｂ１，１２３ｃ１と第３従動体１２４の凹部１２４ｂ１との間に受け入れられた遊技球を媒体として第２従動体１２３の回転力が第３従動体１２４に伝達され、第３従動体１２４が第２従動体１２３の回転に従動され矢印Ｒ３方向へ回転する。これにより、遊技球が第２従動体１２３の凹部１２３ｂ１，１２３ｃ１から送り出され第３従動体１２４へ受け渡される。
【０１０６】
ここで、本実施の形態では、上述したように、第２従動体１２３は、凹部１２３ｂ１，１２３ｃ１の深さが遊技球の半径よりも深く形成されているので、凹部１２３ｂ１，１２３ｃ１への遊技球の掛かり量を大きく確保することができる。
【０１０７】
また、上述したように、第３案内壁１３３は、第２従動体１２３の一対の羽根部１２３ｂ，１２３ｃの対向間に介挿され、第２従動体１２３の凹部１２３ｂ１，１２３ｃ１の回転軌跡に交差すると共に凹部１２３ｂ１，１２３ｃ１の最底部における回転軌跡に達するまで延設されているので、第２従動体１２３が回転して遊技球を凹部１２３ｂ１，１２３ｃ１から送り出す際に、凹部１２３ｂ１，１２３ｃ１と第３案内壁１３３との間に遊技球を挟み込んで送り出すと共に、第３案内壁１３３に沿って遊技球を押し続けることができる。
【０１０８】
また、上述したように、凹部１２３ｂ１，１２３ｃ１は、開口側（羽根部１２３ｂ，１２３ｃの外周側）の幅が底側（軸部１２３ａの軸心側）の幅よりも幅広に形成されているので、凹部１２３ｂ１，１２３ｃ１と第３案内壁１３３との間に遊技球を挟み込んで送り出す構成であっても、遊技球を凹部１２３ｂ１，１２３ｃ１から円滑に送り出すことができる。よって、凹部１２３ｂ１，１２３ｃ１への遊技球の掛かり量を大きく確保できると共に、第２従動体１２３が回転して遊技球を凹部１２３ｂ１，１２３ｃ１から送り出す際に、凹部１２３ｂ１，１２３ｃ１と第３案内壁１３３との間に遊技球を挟み込みつつ円滑に送り出すことができ、且つ、第３案内壁１３３に沿って遊技球を押し続けることができるので、第２従動体１２３の回転力、即ち、搬送力を遊技球に十分に付与することができる。また、凹部１２３ｂ１，１２３ｃ１の開口側の幅が底側の幅よりも幅広に形成され、遊技球を凹部１２３ｂ１，１２３ｃ１から円滑に送り出すことができるので、凹部１２３ｂ１，１２３ｃ１と第３案内壁１３３との間の遊技球の噛み込みを防止することができる。
【０１０９】
また、上述したように、第２従動体１２３と第３従動体１２４とは、第３従動体１２４の羽根部１２４ｂが第２従動体１２３の一対の羽根部１２３ｂ，１２３ｃの対向間に介挿され、第２従動体１２３の凹部１２３ｂ１，１２３ｃ１の回転軌跡と第３従動体１２４の凹部１２４ｂ１の回転軌跡とが重なり合うような相対位置で配置されているので、第２従動体１２３の凹部１２３ｂ１，１２３ｃ１及び第３従動体１２４の凹部１２４ｂ１への遊技球の掛かり量をいずれも大きく確保することができる。よって、第２従動体１２３が回転して第３従動体１２４へ遊技球を受け渡す際に、第２従動体１２３の回転力、即ち、搬送力を遊技球に十分に付与することができると共に、遊技球に付与された搬送力を第３従動体１２４に十分に伝達することができる。
【０１１０】
また、上述したように、第３従動体１２４の羽根部１２４ｂが第２従動体１２３の一対の羽根部１２３ｂ，１２３ｃの対向間に介挿されているので、第２従動体１２３から第３従動体１２４へ遊技球を受け渡す際に、第２従動体１２３の凹部１２３ｂ１，１２３ｃ１と第３従動体１２４の凹部１２４ｂ１との間で遊技球を安定して保持することができる。その結果、搬送力を遊技球に確実に付与することができると共に、遊技球に付与された搬送力を第３従動体１２４に確実に伝達することができる。
【０１１１】
このように、第３従動体１２４による遊技球の搬送は、図１６及び図１７の動作が繰り返されることで行われる。よって、第２従動体１２３の凹部１２３ｂ１，１２３ｃ１と第３従動体１２４の凹部１２４ｂ１との間に遊技球が存在しなければ、第３従動体１２４は回転しないので、遊技球の搬送を行わず、搬送装置１００内に遊技球を貯留することができる。
【０１１２】
次いで、図１７の状態から、第３従動体１２４が更に矢印Ｒ３方向へ回転すると、第３従動体１２４により遊技球が搬送され、図１８に示すように、第３従動体１２４の凹部１２４ｂ１と第４従動体１２５の凹部１２５ｂ１，１２５ｃ１とが対向して、それら第３従動体１２４の凹部１２４ｂ１と第４従動体１２５の凹部１２５ｂ１，１２５ｃ１との間に遊技球が受け入れられる。
【０１１３】
次いで、図１８の状態から、第３従動体１２４が更に矢印Ｒ３方向へ回転すると、図１９に示すように、第３従動体１２４の凹部１２４ｂ１と第４従動体１２５の凹部１２５ｂ１，１２５ｃ１との間に受け入れられた遊技球を媒体として第３従動体１２４の回転力が第４従動体１２５に伝達され、第４従動体１２５が第３従動体１２４の回転に従動され矢印Ｒ４方向へ回転する。これにより、遊技球が第３従動体１２４の凹部１２４ｂ１から送り出され第４従動体１２５へ受け渡される。
【０１１４】
ここで、本実施の形態では、上述したように、第３従動体１２４は、凹部１２４ｂ１の深さが遊技球の半径よりも深く形成されているので、凹部１２４ｂ１への遊技球の掛かり量を大きく確保することができる。
【０１１５】
また、上述したように、第４案内壁１３４は、第３従動体１２４を挟んで一対配設され、第３従動体１２４の凹部１２４ｂ１の回転軌跡に交差すると共に凹部１２４ｂ１の最底部における回転軌跡に達するまで延設されているので、第３従動体１２４が回転して遊技球を凹部１２４ｂ１から送り出す際に、凹部１２４ｂ１と第４案内壁１３４との間に遊技球を挟み込んで送り出すと共に、第４案内壁１３４に沿って遊技球を押し続けることができる。
【０１１６】
また、上述したように、凹部１２４ｂ１は、開口側（羽根部１２４ｂの外周側）の幅が底側（軸部１２４ａの軸心側）の幅よりも幅広に形成されているので、凹部１２４ｂ１と第４案内壁１３４との間に遊技球を挟み込んで送り出す構成であっても、遊技球を凹部１２４ｂ１から円滑に送り出すことができる。よって、凹部１２４ｂ１への遊技球の掛かり量を大きく確保できると共に、第３従動体１２４が回転して遊技球を凹部１２４ｂ１から送り出す際に、凹部１２４ｂ１と第４案内壁１３４との間に遊技球を挟み込みつつ円滑に送り出すことができ、且つ、第４案内壁１３４に沿って遊技球を押し続けることができるので、第３従動体１２４の回転力、即ち、搬送力を遊技球に十分に付与することができる。また、凹部１２４ｂ１の開口側の幅が底側の幅よりも幅広に形成され、遊技球を凹部１２４ｂ１から円滑に送り出すことができるので、凹部１２４ｂ１と第４案内壁１３４との間の遊技球の噛み込みを防止することができる。
【０１１７】
また、上述したように、第３従動体１２４と第４従動体１２５とは、第３従動体１２４の羽根部１２４ｂが第４従動体１２５の一対の羽根部１２５ｂ，１２５ｃの対向間に介挿され、第３従動体１２４の凹部１２４ｂ１の回転軌跡と第４従動体１２５の凹部１２５ｂ１，１２５ｃ１の回転軌跡とが重なり合うような相対位置で配置されているので、第３従動体１２４の凹部１２４ｂ１及び第４従動体１２５の凹部１２５ｂ１，１２５ｃ１への遊技球の掛かり量をいずれも大きく確保することができる。よって、第３従動体１２４が回転して第４従動体１２５へ遊技球を受け渡す際に、第３従動体１２４の回転力、即ち、搬送力を遊技球に十分に付与することができると共に、遊技球に付与された搬送力を第４従動体１２５に十分に伝達することができる。
【０１１８】
また、上述したように、第３従動体１２４の羽根部１２４ｂが第４従動体１２５の一対の羽根部１２５ｂ，１２５ｃの対向間に介挿されているので、第３従動体１２４から第４従動体１２５へ遊技球を受け渡す際に、第３従動体１２４の凹部１２４ｂ１と第４従動体１２５の凹部１２５ｂ１，１２５ｃ１との間で遊技球を安定して保持することができる。その結果、搬送力を遊技球に確実に付与することができると共に、遊技球に付与された搬送力を第４従動体１２５に確実に伝達することができる。
【０１１９】
このように、第４従動体１２５による遊技球の搬送は、図１８及び図１９の動作が繰り返されることで行われる。よって、第３従動体１２４の凹部１２４ｂ１と第４従動体１２５の凹部１２５ｂ１，１２５ｃ１との間に遊技球が存在しなければ、第４従動体１２５は回転しないので、遊技球の搬送を行わず、搬送装置１００内に遊技球を貯留することができる。
【０１２０】
次いで、図１９の状態から、第４従動体１２５が更に矢印Ｒ４方向へ回転すると、第４従動体１２５により遊技球が搬送され、図２０に示すように、第４従動体１２５の凹部１２５ｂ１，１２５ｃ１が排出口１１０ｂに臨み、第４従動体１２５の凹部１２５ｂ１，１２５ｃ１に受け入れられた遊技球が排出口１１０ｂから上皿１６へ排出される。
【０１２１】
以上、説明したように、パチンコ機１０は、搬送装置１００を遊技球の搬送のためだけに用いるのではなく、遊技球の貯留スペースとして利用することで、より多くの遊技球を遊技機内に貯留することができる。
【０１２２】
また、回転体１２０は、複数の従動体（本実施の形態では、第１従動体１２２、第２従動体１２３、第３従動体１２４及び第４従動体１２５）を備えて構成されているので、例えば、同数の遊技球を搬送装置１００内に貯留する場合、複数の従動体を備えていない搬送装置と比較して、各従動体を小型化することで、同数の遊技球を貯留可能としつつも搬送装置１００を小型化することができる。
【０１２３】
また、筐体１１０の内部に形成される搬送通路Ｗは、Ｓ字状に湾曲して形成されているので、かかる搬送通路Ｗを直線状に形成する場合と比較して、より多くの遊技球を遊技機内に貯留することができる。
【０１２４】
ところで、従来、封入式遊技機では、単に、遊技球を数珠繋ぎに並べて貯留するように構成されていた。しかしながら、かかる構成では、例えば、一般入賞口２３、第１入球口２４及び特定入賞口２５等へ入球し易くするために、正常な遊技球の直径よりも小径の不正球を用いて遊技が不正に行われたとしても、その不正を検出することができなかった。
【０１２５】
即ち、不正球を用いると、数珠繋ぎに並んだ遊技球の最後尾の位置が変化するため、遊技球の存在を検知するセンサ等を設けることで不正を検出することはできるが、正常な封入個数よりも多くの不正球が機内に投入された場合には、かかるセンサ等を設けたとしても、不正を検出することができなかった。これに対し、本実施の形態における搬送装置１００によれば、搬送装置１００内に貯留できる遊技球の個数を予め設定できるので、容易に不正を検出することができる。
【０１２６】
以上、実施の形態に基づき本発明を説明したが、本発明は上記形態に何ら限定されるものではなく、本発明の趣旨を逸脱しない範囲内で種々の変形改良が可能であることは容易に推察できるものである。
【０１２７】
例えば、上記各実施の形態で挙げた数値は一例であり、他の数値を採用することは当然可能である。
【０１２８】
上記実施の形態では、パチンコ機１０を封入式のパチンコ遊技機として構成する場合を説明したが、必ずしもこれに限られるものではなく、遊技者への遊技球の直接的な貸し出しや払い出しを行う一般的なパチンコ遊技機として構成しても良い。
【０１２９】
上記実施の形態では、回転体１２０を駆動体１２１と第１従動体１２２と第２従動体１２３と第３従動体１２４と第４従動体１２５との合計５つの部材を備えて構成する場合を説明したが、必ずしもこれに限られるものではなく、例えば、駆動体１２１と第１従動体１２２のみ、或いは６つ以上の部材を備えて構成しても良い。これにより、搬送装置１００による遊技球の貯留個数を任意に変更することができる。
【０１３０】
また、駆動体１２１の凹部１２１ｂ１，１２１ｃ１、第１従動体１２２の凹部１２２ｂ１、第２従動体１２３の凹部１２３ｂ１，１２３ｃ１、第３従動体１２４の凹部１２４ｂ１及び第４従動体１２５の凹部１２５ｂ１，１２５ｃ１の個数は上記実施の形態に限られるものではなく、他の個数とすることは当然可能である。
【０１３１】
上記実施の形態では、搬送装置１００により遊技球をパチンコ機１０の上方（図１上側）へ揚送する場合を説明したが、必ずしもこれに限られるものではなく、例えば、パチンコ機１０の左右方向（図１左側または右側）へ搬送するように構成しても良い。
＜その他＞
＜手段＞
技術的思想１の遊技機は、遊技球を供給する通路となる供給通路と、その供給通路から供給された遊技球を発射する発射装置と、その発射装置から発射された遊技球を回収する通路となる回収通路と、その回収通路から前記供給通路へ前記遊技球を搬送する搬送装置とを備えたものであり、前記搬送装置は、箱状の筐体と、その筐体の内部に収容され回転可能に軸支される複数の回転体と、それら複数の回転体の内の１の回転体に駆動力を付与して回転駆動する回転駆動手段とを備え、前記筐体は、前記回収通路から前記遊技球を複列幅で取り込む取込口と、その取込口から取り込まれた遊技球を一列で搬送する搬送通路と、その搬送通路を通じて搬送された遊技球を排出する排出口とを備え、前記複数の回転体は、前記搬送通路を通じて前記遊技球を搬送するためのものであり、前記取込口に臨んで配設されると共に前記回転駆動手段により駆動力が付与されることで回転する駆動体と、その駆動体の周囲に配設されると共に前記遊技球を媒体として前記駆動体の回転力が伝達されることで回転する従動体とを備え、前記駆動体は、回転軸と直交する方向へ張り出すと共に前記回転軸方向に対向して配設される一対の羽根部を備え、その一対の羽根部の外周面に前記取込口から前記遊技球を受け入れる凹部および前記遊技球を受け支える凸部が回転方向に沿って交互に形成されると共に、前記回転軸方向視において前記一対の羽根部の一方の羽根部の凹部が他方の羽根部の凸部に対応する位置に配置され、前記従動体は、回転軸と直交する方向へ張り出す一枚の羽根部を備え、その一枚の羽根部の外周面に前記駆動体の凹部から前記遊技球を受け入れる凹部が回転方向に沿って複数形成されると共に、前記回転軸方向において前記一枚の羽根部が前記駆動体の前記一対の羽根部の対向間に介挿される位置に配設されるものであって、前記駆動体が回転することで前記取込口から前記遊技球を前記一対の羽根部の一方の羽根部の凹部と他方の羽根部の凹部とにより交互に１個ずつ受け入れると共に、その受け入れられた遊技球を前記一方の羽根部の凹部と他方の羽根部の凹部とから交互に前記従動体の凹部へ１個ずつ受け渡すことにより、前記搬送通路を通じて前記遊技球を搬送する。
技術的思想２の遊技機は、技術的思想１記載の遊技機において、前記駆動体は、前記回転軸方向視において前記一方の羽根部の凸部が前記対応する位置に配置される他方の羽根部の凹部を覆う形状に形成されている。
技術的思想３の遊技機は、技術的思想１又は２に記載の遊技機において、前記駆動体は、前記回転軸方向視において前記一方の羽根部の凹部と他方の羽根部の凹部とが回転方向に沿って連続して配置されている。
技術的思想４の遊技機は、技術的思想１から３のいずれかに記載の遊技機において、前記駆動体の凹部は、前記回転軸方向へ向けて湾曲する円弧状に形成されている。
＜効果＞
技術的思想１記載の遊技機によれば、駆動体を回転駆動手段により回転駆動して強制的に遊技球を一列に整列させる構成であるので、遊技球を複列幅で回収し、整流部において遊技球の自然流下を利用して一列に整列させる場合と比較して、遊技球を整流しつつも球詰まりを抑制することができるという効果がある。
また、駆動体の一方の羽根部の凹部が取込口に臨む場合に、その凹部に対応する位置に配置される他方の羽根部の凸部が取込口に臨む構成であるので、回収通路の通路幅を狭める必要がなく、遊技球を搬送装置にスムーズに取り込むことができるという効果がある。
技術的思想２記載の遊技機によれば、技術的思想１記載の遊技機の奏する効果に加え、駆動体は、回転軸方向視において一方の羽根部の凸部がその凸部に対応する位置に配置される他方の羽根部の凹部を覆う形状に形成されているので、一方の羽根部の凹部に遊技球を受け入れる際に、その一方の羽根部の凹部へ遊技球を他方の羽根部の凸部により誘導することができ、駆動体の凹部に遊技球を円滑に受け入れることができるという効果がある。その結果、遊技球の整流を効率良く行うことができると共に、その分、球詰まりの抑制を図ることができるという効果がある。
技術的思想３記載の遊技機によれば、技術的思想１又は２に記載の遊技機の奏する効果に加え、駆動体は、回転軸方向視において一方の羽根部の凹部と他方の羽根部の凹部とが回転方向に沿って連続して配置されているので、駆動体の回転位置がどの位置であろうと、一方の羽根部の凹部または他方の羽根部の凹部のいずれかに遊技球を受け入れることができるという効果がある。その結果、遊技球を凹部に効率良く受け入れて、球詰まりの抑制を図ることができるという効果がある。
技術的思想４記載の遊技機によれば、技術的思想１から３のいずれかに記載の遊技機の奏する効果に加え、駆動体の凹部は、回転軸方向へ向けて湾曲する円弧状に形成されているので、かかる凹部に受け入れた遊技球の勢いを放射状に分散して減じることができ、凹部による球はじきを防止することができるという効果がある。その結果、駆動体の凹部に遊技球を円滑に受け入れて、球詰まりの抑制を図ることができるという効果がある。
【符号の説明】
【０１３２】
１０                      パチンコ機（遊技機）
１６                      上皿（供給通路）
４１ａ                    回収通路
４２ａ                    案内通路（回収通路）
４３ａ                    回収通路
５０                      発射装置
１００                    搬送装置
１１０                    筐体
１１０ａ                  取込口
１１０ｂ                  排出口
１２０                    回転体
１２１                    駆動体（回転体の一部）
１２１ａ                  軸部
１２１ｂ，１２１ｃ        羽根部
１２１ｂ１，１２１ｃ１    凹部
１２１ｂ２，１２１ｃ２    凸部
１２２                    第１従動体（回転体の一部、従動体）
１２２ａ                  軸部
１２２ｂ                  羽根部
１２２ｂ１                凹部
１２３                    第２従動体（回転体の一部）
１２３ａ                  軸部
１２３ｂ，１２３ｃ        羽根部
１２３ｂ１，１２３ｃ１    凹部
１２４                    第３従動体（回転体の一部）
１２４ａ                  軸部
１２４ｂ                  羽根部
１２４ｂ１                凹部
１２５                    第４従動体（回転体の一部）
１２５ａ                  軸部
１２５ｂ，１２５ｃ        羽根部
１２５ｂ１，１２５ｃ１    凹部
１３０                    駆動モータ（回転駆動手段）
１３１                    第１案内壁（案内壁の一部）
１３２                    第２案内壁（案内壁の一部）
１３３                    第３案内壁（案内壁の一部）
１３４                    第４案内壁（案内壁の一部）
Ｗ                        搬送通路